(57)【要約】  本発明に係る超解像光記録媒体（１０）は、媒体識別情報が記録されている媒体情報領域（１）とコンテンツ情報が記録されているコンテンツ領域（３）との間に、媒体情報領域（１）におけるプリピット列と、コンテンツ領域（３）におけるプリピット列とをつなぐように、少なくとも２周以上のトラックが形成されているブランク領域（２）を備えている。ブランク領域（２）には、情報が記録されていない。これにより本発明は、媒体識別情報が記録されている領域とコンテンツ情報が記録されている領域とがそれぞれ異なるトラックピッチである超解像光記録媒体において、上記媒体識別情報が記録されている領域から上記コンテンツ情報が記録されている領域へと再生が移行する時に、再生エラーが生じ難い超解像光記録媒体を提供する。
2009028593.tif 000002
【特許請求の範囲】
【請求項１】
光記録媒体再生装置が有する光学系の解像限界より長い長さのプリピットからなるプリピット列によって、媒体の種類を識別するための媒体識別情報が記録されている第１領域と、
上記光学系の解像限界以下の長さのプリピットを含むプリピット列によって、コンテンツ情報が記録されている第２領域とを備え、
上記第２領域のトラックピッチが、上記第１領域のトラックピッチよりも小さい超解像光記録媒体であって、
上記第１領域と上記第２領域との間に、上記第１領域のプリピット列と上記第２領域のプリピット列とをつなぐように、少なくとも２周以上のトラックが形成されているブランク領域を備え、
上記ブランク領域におけるトラックのうち、上記第１領域のプリピット列に隣接するトラックは、隣接する上記第１領域のプリピット列とのトラックピッチが、上記第１領域のトラックピッチと同一であり、
上記ブランク領域におけるトラックのうち、上記第２領域のプリピット列に隣接するトラックは、隣接する上記ブランク領域における上記第１領域側のトラックとのトラックピッチが、上記第２領域のトラックピッチへと変化するとともに、隣接する上記第２領域のプリピット列とのトラックピッチが、上記第２領域のトラックピッチと同一であり、
上記ブランク領域には、情報が記録されていないことを特徴とする超解像光記録媒体。
【請求項２】
上記ブランク領域におけるトラックは、プリピット列からなることを特徴とする請求項１に記載の超解像光記録媒体。
【請求項３】
上記ブランク領域におけるトラックは、案内溝からなることを特徴とする請求項１に記載の超解像光記録媒体。
【請求項４】
上記ブランク領域におけるトラックは、プリピット列および案内溝からなることを特徴とする請求項１に記載の超解像光記録媒体。
【請求項５】
上記第１領域には、上記ブランク領域の開始位置を示す第１アドレス情報が記録されており、
上記第２領域には、上記ブランク領域の終了位置を示す第２アドレス情報が記録されていることを特徴とする請求項１〜４のいずれか１項に記載の超解像光記録媒体。
【請求項６】
上記第１領域には、上記ブランク領域のアドレス情報が記録されていることを特徴とする請求項１〜４のいずれか１項に記載の超解像光記録媒体。
【請求項７】
上記第１領域には、上記第２領域のアドレス情報が記録されていることを特徴とする請求項１〜６のいずれか１項に記載の超解像光記録媒体。
【請求項８】
上記第１領域には、上記光記録媒体再生装置が上記第２領域に照射するレーザ光のパワーを示すパワー情報が記録されていることを特徴とする請求項１〜７のいずれか１項に記載の超解像光記録媒体。
【請求項９】
上記第１領域には、上記光記録媒体再生装置が上記第２領域に照射するレーザ光のパワーを調整するためのプリピットが形成されたテストリード領域が割り当てられており、
上記テストリード領域のプリピット列は、上記第２領域のプリピット列と同じ線記録密度および変調方式で形成されていることを特徴とする請求項１〜７のいずれか１項に記載の超解像光記録媒体。
【請求項１０】
上記第１領域には、上記光記録媒体再生装置が上記ブランク領域に照射するレーザ光のパワーを示すブランクパワー情報が記録されていることを特徴とする請求項１〜９のいずれか１項に記載の超解像光記録媒体。
【請求項１１】
請求項１〜１０のいずれか１項に記載の超解像光記録媒体と、光記録媒体再生装置が有する光学系の解像限界より長い長さのプリピットからなるプリピット列によって、各種情報が記録されている光記録媒体である通常光記録媒体とを再生可能な光記録媒体再生装置であって、
光記録媒体に記録されている情報を再生するために、上記光記録媒体の所望位置に再生光を照射し、その反射光から電気信号を生成する再生部と、
上記電気信号に基づいて、サーボ制御を行うサーボ制御部と、
上記電気信号に基づいて、上記光記録媒に記録されているコンテンツ情報を再生するコンテンツ情報再生部と、
自装置の動作を制御する制御部とを備え、
上記制御部は、
通常光記録媒体の再生に適した再生光のパワーで得られた電気信号に基づいて、媒体識別情報を再生して取得するとともに、ブランク領域が存在していることを示すブランク領域情報を取得する情報取得部と、
上記媒体識別情報に基づいて、上記光記録媒体が上記超解像光記録媒体であるか否かを識別する媒体識別部と、
上記ブランク領域情報に基づいて、上記ブランク領域においては、上記コンテンツ情報再生部の動作を停止させるブランク制御部とを備えていることを特徴とする光記録媒体再生装置。
【請求項１２】
上記制御部は、上記媒体識別部の識別の結果、上記光記録媒体が上記超解像光記録媒体である場合に、上記再生部の再生光のパワーを、コンテンツ領域の再生に適した再生光のパワーに、あるいは上記ブランク領域の再生に適した再生光のパワーに制御するパワー制御部をさらに備えていることを特徴とする請求項１１に記載の光記録媒体再生装置。
【請求項１３】
請求項１〜１０のいずれか１項に記載の超解像光記録媒体と、光記録媒体再生装置が有する光学系の解像限界より長い長さのプリピットからなるプリピット列によって、各種情報が記録されている光記録媒体である通常光記録媒体とを再生可能な光記録媒体再生装置の制御方法であって、
光記録媒体に記録されている情報を再生するために、上記光記録媒体の所望位置に再生光を照射し、その反射光から電気信号を生成する再生工程と、
上記電気信号に基づいて、サーボ制御を行うサーボ制御工程と、
上記電気信号に基づいて、上記光記録媒に記録されているコンテンツ情報を再生するコンテンツ情報再生工程と、
通常光記録媒体の再生に適した再生光のパワーで得られた電気信号に基づいて、媒体識別情報を再生して取得するとともに、ブランク領域が存在していることを示すブランク領域情報を取得する情報取得工程と、
上記媒体識別情報に基づいて、上記光記録媒体が上記超解像光記録媒体であるか否かを識別する媒体識別工程と、
上記ブランク領域情報に基づいて、上記ブランク領域においては、上記コンテンツ情報再生部の動作を停止させるブランク制御工程とを備えていることを特徴とする光記録媒体再生装置の制御方法。
【請求項１４】
請求項１１または１２に記載の光記録媒体再生装置を動作させるための光記録媒体再生装置制御プログラムであって、コンピュータを上記制御部として機能させるための光記録媒体再生装置制御プログラム。
【請求項１５】
請求項１４に記載の光記録媒体再生装置制御プログラムを記録したコンピュータ読み取り可能な記録媒体。
【発明の詳細な説明】
【技術分野】
【０００１】
本発明は、再生装置が有する光学系の解像限界より短い長さのプリピットを含むプリピット列、または、再生装置が有する光学系の解像限界より短い長さの記録マークを含む記録マーク列で情報が記録され、その記録された情報が超解像技術を用いて再生される超解像光記録媒体に関し、特に、再生装置が有する光学系の解像限界より長い長さのプリピットからなるプリピット列で情報が記録された通常光記録媒体と一つの再生装置で再生可能なように構成され、かつ、高記録密度化を達成するために、小さいトラックピッチでコンテンツ情報を記録した超解像光記録媒体に関するものである。また、その超解像光記録媒体と通常光記録媒体との双方を再生可能な再生装置に関するものである。
【背景技術】
【０００２】
近年、画像等のデータ量の大きな情報を扱う機会が多くなっている。このため、光記録媒体の高記録密度化が求められている。そこで、再生装置が有する光学系の解像限界より短い長さの凹及び／または凸からなるプリピットで情報を記録する光記録媒体と、この光記録媒体を再生するための超解像技術とが提案されている。以下、本明細書においては、超解像技術を用いて再生する光記録媒体を「超解像媒体」または「超解像光記録媒体」と呼び、従来の光記録媒体、すなわち、超解像技術を使用する必要がない、再生装置が有する光学系の解像限界より長い長さのプリピットで情報が記録される光記録媒体を「通常媒体」または「通常光記録媒体」と呼ぶ。なお、光学系の解像限界は、再生装置から媒体へ照射されるレーザ光の波長と光学系の開口数とによって決まる。【０００３】
超解像媒体としては、特許文献１および２に開示されているような光記録媒体が挙げられる。【０００４】
特許文献１に開示されている超解像媒体では、温度によって透過率等の光学特性が変化するサーモクロミック層が、反射層のレーザ光入射面側に設けられている。上記サーモクロミック層は、ある程度高いパワーのレーザ光が照射されることにより、レーザ光のスポットを擬似的に限縮する超解像効果を生じさせ、マスク層として機能する。上記マスク層上の上記スポット内に、光強度分布により生じる温度分布によって、透過率の分布が生じる。例えば、温度が高くなると透過率が高くなる材料を上記マスク層に用いる場合、温度が高い部分の透過率のみが高くなり、上記反射層面上に生じる上記スポットが擬似的に縮小されるので、光学系解像限界より短い長さのプリピットを再生することができる。この特許文献１に示される技術は、書き換え可能な光記録媒体のみならず、再生専用の光記録媒体にも適応可能である。【０００５】
また、特許文献２に開示されている超解像媒体では、凹及び／または凸からなるプリピットによって情報が記録されている基板上に、薄い金属膜等からなる機能層と呼ばれる膜層が設けられている。現在のところ、特許文献２の超解像媒体は、その超解像技術の原理が解明されていないが、通常よりも高いパワーでレーザ光を照射し、このレーザ光照射による上記機能層の温度変化によって、光学系解像限界より短い長さのプリピットを再生することができる。
【特許文献１】日本国公開特許公報「特開２００１−３５０１２号公報（公開日：２００１年２月９日）」
【特許文献２】日本国公開特許公報「特開２００１−２５０２７４号公報（公開日：２００１年９月１４日）」
【発明の開示】
【０００６】
上述のように、超解像媒体では、高いパワーのレーザ光を媒体に照射する。このレーザ光のパワーは、通常媒体を再生するためのレーザ光のパワーよりも大きくなる。
【０００７】
したがって、通常媒体の再生を想定した再生装置では、レーザ光のパワーが低いため、超解像媒体を再生することができない。よって、超解像媒体は、再生不可能な媒体として排出されることになる。一方、超解像媒体の再生を想定した再生装置では、レーザ光のパワーが高いため、通常媒体を誤って挿入した場合、熱によって通常媒体を破壊してしまう可能性がある。あるいは、超解像媒体と通常媒体とでは、レーザ光のパワーのみならず、線速やクロックも異なるため、通常媒体は再生不可能な媒体として排出されることになる。
【０００８】
そこで、本発明者らは、通常媒体と超解像媒体とのいずれの媒体も再生可能な互換性を有した再生装置を実現するために、図１３および図１４に示すような超解像媒体１０５を考案した。超解像媒体１０５は、領域１０１において、通常媒体と同様のトラックピッチで、かつ、通常媒体と同様の、再生装置の光学系の解像限界より長い長さのプリピットからなるプリピット列によって、超解像媒体１０５が超解像媒体であることを示す媒体識別情報がスパイラル状に記録されている。すなわち、上記媒体識別情報は、通常媒体用のレーザ光のパワーで再生できる。一方、領域１０２においては、コンテンツ情報が、領域１０１におけるトラックピッチよりも小さいトラックピッチで、かつ、再生装置の光学系の解像限界より短い長さのプリピットを含むプリピット列によって、スパイラル状に記録されている。
【０００９】
このように、超解像媒体１０５では、媒体識別情報が通常媒体用のレーザ光のパワーで再生できるため、通常媒体と超解像媒体とのいずれの媒体も再生可能な互換性を有した再生装置を実現できる。具体的には、上記再生装置は、媒体が挿入されると、通常媒体用のパワーで媒体にレーザ光を照射し、媒体識別情報を読み取って、挿入された媒体が通常媒体と超解像媒体とのいずれであるかを判別する。この判別の結果、挿入された媒体が通常媒体であれば、コンテンツ情報の再生に移行し、挿入された媒体が超解像媒体１０５であれば、レーザ光のパワーを超解像媒体１０５用に切り替えて、コンテンツ情報の再生に移行する。
【００１０】
ところが、上記再生装置の光学系が連続してトラッキングサーボ制御を行いながら領域１０１から領域１０２に移動できるように、互いに異なるトラックピッチの領域１０１におけるプリピット列と領域１０２におけるプリピット列とが連続して形成されるため、領域１０１から領域１０２の再生時において、再生エラーが生じやすいという問題がある。以下、この問題について、領域１０１と領域１０２との境界部分の拡大図である図１４を用いて詳しく説明する。
【００１１】
上述のように、領域１０１におけるプリピット列と領域１０２におけるプリピット列とは連続して形成されているため、領域１０１においては、領域１０２のプリピット列（プリピット列ｂ）に隣接したプリピット列ａが約１周分存在することになる。このプリピット列ａは、１周のうちの何れかの部分で、隣接する領域１０２のプリピット列へのトラックピッチが、領域１０１のトラックピッチから領域１０２のトラックピッチへと小さくなっている。すなわち、プリピット列ａは、領域１０２の隣接したプリピット列へのトラックピッチが、内周側とその反対側の外周側とで異なる部分を含んでいることになる。
【００１２】
なお、領域１０１と同様に、領域１０２においては、領域１０１のプリピット列（プリピット列ａ）に隣接したプリピット列ｂが約１周分存在することになる。このプリピット列ｂは、１周のうちの何れかの部分で、隣接する領域１０１のプリピット列へのトラックピッチが、領域１０２のトラックピッチから領域１０１のトラックピッチへと大きくなっている。すなわち、プリピット列ａと同様に、プリピット列ｂは、領域１０１の隣接したプリピット列へのトラックピッチが、内周側とその反対側の外周側で異なる部分を含んでいることになる。
【００１３】
したがって、上記再生装置が、プリピット列ａの再生を行うとき、プリピット列ｂによるノイズの影響を受けやすくなる。また、上記再生装置が、領域１０１における媒体識別情報を読み取って、レーザ光のパワーを超解像媒体用に切り替え、領域１０２におけるコンテンツ情報の再生を開始するとき、プリピット列ａからプリピット列ｂへのトラックピッチが１周する間に変化し、かつ、内周側とその反対側の外周側とで異なる部分を含むことから、トラッキングサーボ制御が不安定になりやすい。トラッキングサーボ制御が不安定になれば、媒体の周方向への傾き（タンジェンシャルチルト）、半径方向への傾き（ラジアルチルト）、および照射するレーザ光のパワーの僅かな変動等の外乱に対するマージンが小さくなり、外乱の影響を受けやすくなる。これらによって、再生エラーが生じやすくなる。
【００１４】
本発明は、上記の問題点に鑑みてなされたものであり、その目的は、媒体識別情報が記録されている領域とコンテンツ情報が記録されている領域とがそれぞれ異なるトラックピッチである超解像光記録媒体において、上記媒体識別情報が記録されている領域から上記コンテンツ情報が記録されている領域へと再生が移行する時に、再生エラーが生じ難い超解像光記録媒体、当該超解像光記録媒体と通常光記録媒体とのいずれの媒体も再生可能な光記録媒体再生装置、光記録媒体再生装置の制御方法、光記録媒体再生装置制御プログラム、並びにそれを記録したコンピュータ読み取り可能な記録媒体を実現することにある。
【００１５】
本発明に係る超解像光記録媒体は、上記課題を解決するために、光記録媒体再生装置が有する光学系の解像限界より長い長さのプリピットからなるプリピット列によって、媒体の種類を識別するための媒体識別情報が記録されている第１領域と、上記光学系の解像限界以下の長さのプリピットを含むプリピット列によって、コンテンツ情報が記録されている第２領域とを備え、上記第２領域のトラックピッチが、上記第１領域のトラックピッチよりも小さい超解像光記録媒体であって、上記第１領域と上記第２領域との間に、上記第１領域のプリピット列と上記第２領域のプリピット列とをつなぐように、少なくとも２周以上のトラックが形成されているブランク領域を備え、上記ブランク領域におけるトラックのうち、上記第１領域のプリピット列に隣接するトラックは、隣接する上記第１領域のプリピット列とのトラックピッチが、上記第１領域のトラックピッチと同一であり、上記ブランク領域におけるトラックのうち、上記第２領域のプリピット列に隣接するトラックは、隣接する上記ブランク領域における上記第１領域側のトラックとのトラックピッチが、上記第２領域のトラックピッチへと変化するとともに、隣接する上記第２領域のプリピット列とのトラックピッチが、上記第２領域のトラックピッチと同一であり、上記ブランク領域には、情報が記録されていないことを特徴としている。
【００１６】
なお、説明の便宜上、ここでは、ブランク領域におけるトラックを２周とする。そして、この２周のトラックのうち、第１領域のプリピット列に隣接するトラックをトラックＡとし、第２領域のプリピット列に隣接するトラックをトラックＢとする。
【００１７】
上記の構成によれば、本発明に係る超解像光記録媒体では、第１領域における媒体識別情報が、光記録媒体再生装置が有する光学系の解像限界より長い長さのプリピットからなるプリピット列によって、すなわち、通常光記録媒体の記録形態と同様に記録されているため、上記媒体識別情報を通常光記録媒体用のレーザ光のパワーで再生できる。したがって、光記録媒体再生装置は、媒体が挿入されると、通常光記録媒体用のパワーで媒体にレーザ光を照射し、媒体識別情報を読み取って、挿入された媒体が通常光記録媒体と超解像光記録媒体とのいずれであるかを判別する。そして、この判別の結果に応じて、挿入された媒体に合わせて処理を変更する（レーザ光のパワーを切り替えるなど）ことができるため、通常光記録媒体と上記超解像光記録媒体とのいずれの媒体も再生可能な互換性を有した再生装置を実現することができる。
【００１８】
また、上記超解像光記録媒体では、上記光学系の解像限界以下の長さのプリピットを含むプリピット列によって、コンテンツ情報が記録されている。また、上記コンテンツ情報を記録している第２領域のトラックピッチは、上記第１領域におけるトラックピッチよりも小さく設定されている。よって、上記超解像光記録媒体は、通常光記録媒体と比較して、大容量の超解像光記録媒体を実現することができる。
【００１９】
そして、上記超解像光記録媒体は、上記第１領域のプリピット列と上記第２領域のプリピット列とをつなぐ、トラックＡ，Ｂが形成されているブランク領域を備えている。このように、上記ブランク領域におけるトラックＡ，Ｂが、上記第１領域のプリピット列と上記第２領域のプリピット列とに連続して形成されるため、上記光学系が、上記第１領域から上記第２領域へと連続してトラッキングサーボ制御を行いながら、スムーズに移動できる。
【００２０】
トラックＡは、隣接する上記第１領域のプリピット列とのトラックピッチが、上記第１領域のトラックピッチと同一である。つまり、よって、上記第１領域の再生時において、トラックＡによるノイズの影響を受け難く、トラッキングサーボ制御が適切に行われる。
【００２１】
次に、トラックＢは、隣接するトラックＡとのトラックピッチが、上記第２領域のトラックピッチへと変化するとともに、隣接する上記第２領域のプリピット列とのトラックピッチが、上記第２領域のトラックピッチと同一である。よって、上記ブランク領域の再生時において、トラッキングサーボ制御が不安定になるが、上記ブランク領域には情報が全く記録されていないから、再生エラーとならない。そして、トラックＢの再生において、トラッキングサーボ制御が上記第２領域のトラックピッチに対して安定し、上記第２域の再生へ移行する。上記第２領域の再生時においても、トラックＢからのノイズの影響を受け難く、トラッキングサーボ制御も適切に行われる。
【００２２】
以上により、上記超解像光記録媒体は、媒体識別情報が記録されている領域とコンテンツ情報が記録されている領域とがそれぞれ異なるトラックピッチである超解像光記録媒体において、上記媒体識別情報が記録されている領域から上記コンテンツ情報が記録されている領域へと再生が移行する時に、再生エラーが生じ難い超解像光記録媒体を実現することができるという効果を奏する。
【００２３】
また、上記ブランク領域におけるトラックは、プリピット列又は案内溝からなっていてもよく、もしくはプリピット列および案内溝からなっていてもよい。
【００２４】
本発明に係る超解像光記録媒体は、上記第１領域には、上記ブランク領域の開始位置を示す第１アドレス情報が記録されており、上記第２領域には、上記ブランク領域の終了位置を示す第２アドレス情報が記録されていることが好ましい。
【００２５】
また、本発明に係る超解像光記録媒体は、上記第１領域には、上記ブランク領域のアドレス情報が記録されていることが好ましい。
【００２６】
上記の構成によれば、上記光記録媒体再生装置が、上記ブランク領域の所在を認識し、上記ブランク領域および上記第２領域に対して適切な処理（例えば、上記光記録媒体再生装置のレーザ光のパワーを切り替えるなど）を行うことができるとともに、上記ブランク領域において、連続して隣接したトラックにジャンプして移動することができ、上記第２領域の再生にスムーズに、比較的短い時間で、移行することができるというさらなる効果を奏する。
【００２７】
本発明に係る超解像光記録媒体は、上記第１領域には、上記第２領域のアドレス情報が記録されていることが好ましい。
【００２８】
上記の構成によれば、上記光記録媒体再生装置が、上記ブランク領域および上記第２領域の所在を認識し、上記ブランク領域の所在を認識し、上記ブランク領域および上記第２領域に対して適切な処理（例えば、上記光記録媒体再生装置のレーザ光のパワーを切り替えるなど）を行うことができるとともに、上記ブランク領域において、連続して隣接したトラックにジャンプし、上記第２領域の開始位置や所望の位置に素早くアクセスでき、上記第２領域の再生にスムーズに、比較的短い時間で、移行することができる上記第２領域の再生にスムーズに移行することができるというさらなる効果を奏する。
【００２９】
本発明に係る超解像光記録媒体は、上記第１領域には、上記光記録媒体再生装置が上記第２領域に照射するレーザ光のパワーを示すパワー情報が記録されていることが好ましい。
【００３０】
また、本発明に係る超解像光記録媒体は、上記第１領域には、上記光記録媒体再生装置が上記第２領域に照射するレーザ光のパワーを調整するためのプリピットが形成されたテストリード領域が割り当てられており、上記テストリード領域のプリピット列は、上記第２領域のプリピット列と同じ記録密度および変調方式で形成されていることが好ましい。
【００３１】
上記の構成によれば、上記超解像光記録媒体に、上記第２領域に照射するレーザ光のパワーを示すパワー情報が記録されているため、あるいは、上記超解像光記録媒体に、上記第２領域に照射するレーザ光のパワーを調整するためのプリピットが形成されたテストリード領域が割り当てられているため、上記光記録媒体再生装置は、上記第２領域の再生に適したレーザ光のパワーを認識できる。よって、上記第２領域におけるコンテンツ情報の再生を適切に行うことができるというさらなる効果を奏する。
【００３２】
また、上記テストリード領域が上記第１領域に割り当てられているため、上記第２領域の記録容量を損なうことがないというさらなる効果も奏する。
【００３３】
本発明に係る超解像光記録媒体は、上記第１領域には、上記光記録媒体再生装置が上記ブランク領域に照射するレーザ光のパワーを示すブランクパワー情報が記録されていることが好ましい。
【００３４】
上記の構成によれば、上記超解像光記録媒体に、上記ブランク領域に照射するレーザ光のパワーを示すブランクパワー情報が記録されているため、上記光記録媒体再生装置は、上記ブランク領域に適したレーザ光のパワーを認識できる。よって、上記ブランク領域での処理を適切に行うことができるというさらなる効果を奏する。また、上記ブランク領域に適したレーザ光のパワーは、上記第２領域の再生に適したレーザ光のパワーよりも小さい場合がある。このような場合に、上記ブランクパワー情報により上記ブランク領域に適したレーザ光のパワーを正確に認識できるため、上記光記録媒体再生装置の消費電力を低減することが可能となる。
【００３５】
本発明に係る光記録媒体再生装置は、上記課題を解決するために、上記超解像光記録媒体と、光記録媒体再生装置が有する光学系の解像限界より長い長さのプリピットからなるプリピット列によって、各種情報が記録されている光記録媒体である通常光記録媒体とを再生可能な光記録媒体再生装置であって、光記録媒体に記録されている情報を再生するために、上記光記録媒体の所望位置に再生光を照射し、その反射光から電気信号を生成する再生部と、上記電気信号に基づいて、サーボ制御を行うサーボ制御部と、上記電気信号に基づいて、上記光記録媒に記録されているコンテンツ情報を再生するコンテンツ情報再生部と、自装置の動作を制御する制御部とを備え、上記制御部は、通常光記録媒体の再生に適した再生光のパワーで得られた電気信号に基づいて、媒体識別情報を再生して取得するとともに、ブランク領域が存在していることを示すブランク領域情報を取得する情報取得部と、上記媒体識別情報に基づいて、上記光記録媒体が上記超解像光記録媒体であるか否かを識別する媒体識別部と、上記ブランク領域情報に基づいて、上記ブランク領域においては、上記コンテンツ情報再生部の動作を停止させるブランク制御部とを備えていることを特徴としている。
【００３６】
本発明に係る光記録媒体再生装置は、上記課題を解決するために、上記超解像光記録媒体と、光記録媒体再生装置が有する光学系の解像限界より長い長さのプリピットからなるプリピット列によって、各種情報が記録されている光記録媒体である通常光記録媒体とを再生可能な光記録媒体再生装置の制御方法であって、光記録媒体に記録されている情報を再生するために、上記光記録媒体の所望位置に再生光を照射し、その反射光から電気信号を生成する再生工程と、上記電気信号に基づいて、サーボ制御を行うサーボ制御工程と、上記電気信号に基づいて、上記光記録媒に記録されているコンテンツ情報を再生するコンテンツ情報再生工程と、通常光記録媒体の再生に適した再生光のパワーで得られた電気信号に基づいて、媒体識別情報を再生して取得するとともに、ブランク領域が存在していることを示すブランク領域情報を取得する情報取得工程と、上記媒体識別情報に基づいて、上記光記録媒体が上記超解像光記録媒体であるか否かを識別する媒体識別工程と、上記ブランク領域情報に基づいて、上記ブランク領域においては、上記コンテンツ情報再生部の動作を停止させるブランク制御工程とを備えていることを特徴としている。
【００３７】
上記の構成によれば、本発明に係る光記録媒体再生装置およびその制御方法は、通常光記録媒体用の再生光のパワーで媒体識別情報を再生し、この再生した媒体識別情報により、挿入された光記録媒体が上記超解像光記録媒体であるか否かを識別する。したがって、上記光記録媒体再生装置は、識別結果に応じて、上記光記録媒体に合わせて処理を変更する（再生光のパワーを切り替えるなど）ことができる。また、上記光記録媒体再生装置は、ブランク領域が存在していることを示すブランク領域情報を取得すると、上記ブランク領域においては、サーボ制御は行ったままで、コンテンツ情報の再生を停止させ、上記ブランク領域に対応する。
【００３８】
以上により、媒体識別情報が記録されている領域とコンテンツ情報が記録されている領域とがそれぞれ異なるトラックピッチである超解像光記録媒体において、上記媒体識別情報が記録されている領域から上記コンテンツ情報が記録されている領域へと再生が移行する時に、再生エラーが生じ難い超解像光記録媒体と通常光記録媒体とのいずれの媒体も再生可能な光記録媒体再生装置およびその制御方法を実現することができるという効果を奏する。
【００３９】
本発明に係る光記録媒体再生装置は、上記制御部は、上記媒体識別部の識別の結果、上記光記録媒体が上記超解像光記録媒体である場合に、上記再生部の再生光のパワーを、コンテンツ領域の再生に適した再生光のパワーに、あるいは上記ブランク領域の再生に適した再生光のパワーに制御するパワー制御部をさらに備えていることが好ましい。
【００４０】
上記の構成によれば、上記光記録媒体再生装置は、挿入された光記録媒体に合わせて、それぞれに適した再生光のパワーに切り替えることができる。また、上記ブランク領域に適した再生光のパワーにも切り替えることができる。これにより、各媒体に対して、また各領域（ブランク領域やコンテンツ領域など）に対して、最適な状態で再生が行えるというさらなる効果を奏する。
【００４１】
なお、上記光記録媒体再生装置における制御部を、光記録媒体再生装置制御プログラムによりコンピュータ上で実行させることができる。さらに、上記光記録媒体再生装置制御プログラムをコンピュータ読み取り可能な記録媒体に記録させることにより、任意のコンピュータ上で上記光記録媒体再生装置制御プログラムを実行させることができる。
【００４２】
本発明の一つに係る超解像光記録媒体は、光記録媒体再生装置が有する光学系の解像限界より長い長さのプリピットからなるプリピット列によって、媒体の種類を識別するための媒体識別情報が記録されている第１領域と、上記光学系の解像限界以下の長さのプリピットを含むプリピット列によって、コンテンツ情報が記録されている第２領域とを備え、上記第２領域のトラックピッチが、上記第１領域のトラックピッチよりも小さい超解像光記録媒体であって、上記第１領域と上記第２領域との間に、上記第１領域のプリピット列と上記第２領域のプリピット列とをつなぐように、少なくとも２周以上のトラックが形成されているブランク領域を備え、上記ブランク領域におけるトラックのうち、上記第１領域のプリピット列に隣接するトラックは、隣接する上記第１領域のプリピット列とのトラックピッチが、上記第１領域のトラックピッチと同一であり、上記ブランク領域におけるトラックのうち、上記第２領域のプリピット列に隣接するトラックは、隣接する上記ブランク領域における上記第１領域側のトラックとのトラックピッチが、上記第２領域のトラックピッチへと変化するとともに、隣接する上記第２領域のプリピット列とのトラックピッチが、上記第２領域のトラックピッチと同一であり、上記ブランク領域には、情報が記録されていないことを特徴としている。
【００４３】
これにより、媒体識別情報が記録されている領域とコンテンツ情報が記録されている領域とがそれぞれ異なるトラックピッチである超解像光記録媒体において、上記媒体識別情報が記録されている領域から上記コンテンツ情報が記録されている領域へと再生が移行する時に、再生エラーが生じ難い超解像光記録媒体を実現することができる。
【図面の簡単な説明】
【００４４】
【図１】本発明の一実施形態に係る超解像光記録媒体の外観を示す図である。
【図２】上記超解像光記録媒体のブランク領域近辺の拡大図である。
【図３】上記超解像光記録媒体の断面構造を示す図である。
【図４】本発明の他の実施形態に係る超解像光記録媒体の外観を示す図である。
【図５】図４に示す超解像光記録媒体のブランク領域近辺の拡大図である。
【図６】本発明のさらに他の実施形態に係る超解像光記録媒体のブランク領域近辺の拡大図である。
【図７】本発明のさらに他の実施形態に係る超解像光記録媒体のブランク領域近辺の拡大図である。
【図８】図７に示す超解像光記録媒体の断面構造を示す図である。
【図９】本発明の一実施形態に係る光記録媒体再生装置の構成を示すブロック図である。
【図１０】上記光記録媒体再生装置の制御部の構成を示すブロック図である。
【図１１】上記光記録媒体再生装置の処理動作の流れを示すフローチャートである。
【図１２】本発明の他の実施形態に係る光記録媒体再生装置の処理動作の流れを示すフローチャートである。
【図１３】超解像光記録媒体の外観を示す図である。
【図１４】図１３に示す超解像光記録媒体の媒体識別情報が記録されている領域とコンテンツ情報が記録されている領域との境界の拡大図である。
【符号の説明】
【００４５】
１、１ａ、１ｂ、１１  媒体情報領域（第１領域）
２、２ａ、２ｂ、１２  ブランク領域
３、３ａ、３ｂ、１３  コンテンツ領域（第２領域）
１Ａ、１Ｂ、１１Ａ    テストリード領域
１０、１０ａ、１０ｂ、２０、１０５  超解像光記録媒体
２６                  光ピックアップ（再生部）
３１                  信号処理部（情報取得部）
３２                  媒体識別部
３３                  パワー制御部
３５                  ＲＦ処理制御部（ブランク制御部）
３６                  制御部
３７                  サーボ制御部
３９Ｂ                ＲＦ信号処理回路（コンテンツ情報再生部）
５０、５０ａ          光記録媒体再生装置
【発明を実施するための最良の形態】
【００４６】
本発明の各実施形態について図１〜図１２を用いて説明すると以下の通りである。なお、本明細書における「プリピットの長さ」または「プリピット長」とは、プリピットのタンゲンシャル方向（光記録媒体の半径方向に対して法線方向）への長さである。また、本発明に係る光記録媒体再生装置（以下、再生装置と称する）が有する光学系の解像限界より長い長さのプリピットからなるプリピット列によって各種情報が記録されている光記録媒体を、「通常媒体」または「通常光記録媒体」と称する。【００４７】
〔実施の形態１〕
本発明に係る超解像光記録媒体の一実施形態について図１〜図３を用いて説明すると以下の通りである。本実施形態に係る超解像光記録媒体（以下、超解像媒体と称する）１０は、再生専用媒体で、断面構造がＢＤ（Blu-ray Disc）タイプの超解像媒体である。本実施形態では、再生装置の光学系が、レーザ波長が４０５ｎｍ、集光レンズの開口数ＮＡが０．８５であり、その解像限界は１１９ｎｍである。なお、ＢＤ規格等で使用される半導体レーザは、製造工程等で発生する個体差が存在するため、本明細書において、例えばレーザ波長を４０５ｎｍと記載する場合、レーザ波長が４００ｎｍ〜４１０ｎｍの範囲にあることを意味する。【００４８】
図１は、超解像媒体１０の外観を示している。【００４９】
超解像媒体１０は、媒体情報が記録されている媒体情報領域（第１領域）１と、映像やソフトウェア等のコンテンツ情報が記録されているコンテンツ領域（第２領域）３と、媒体情報領域１とコンテンツ領域３との間に設けられたブランク領域２とを有している。【００５０】
図２は、ブランク領域２近辺を拡大して示している。【００５１】
媒体情報領域１では、ＢＤ規格に準じ、主に、１４９ｎｍ、２２３．５ｎｍ、２９８ｎｍ、３７２．５ｎｍ、４９６ｎｍ、５７０．５ｎｍ、および６４５ｎｍの長さのプリピットとスペースとからなるプリピット列がスパイラル状に形成されて媒体情報が記録されており、このプリピット列のすべてのプリピットおよびスペースは、再生装置の光学系の解像限界である１１９ｎｍより長い。媒体情報領域１のトラックピッチは、３２０ｎｍである。【００５２】
媒体情報領域１における媒体情報には、コンテンツ領域３の記録形態が超解像記録形態であること示し、超解像媒体１０の媒体の種類を識別するための媒体識別情報、再生装置が再生クロックを切り替えるための再生クロック切替情報、および記録情報のアドレス等が含まれている。【００５３】
また、媒体情報領域１には、同図に示すように、再生装置がコンテンツ領域３に照射するレーザ光のパワーを調整（設定）するためのプリピットが形成されたテストリード領域１Ａが割り当てられている。テストリード領域１Ａにて調整されたレーザ光のパワーは、ブランク領域２に照射するレーザ光のパワーでもある。【００５４】
テストリード領域１Ａのプリピット列は、コンテンツ領域３の最短プリピットを含み、コンテンツ領域３のプリピットの長さと等しい長さのプリピットのみからなるプリピット列であって、コンテンツ領域３のプリピット幅及び変調方式に準じたランダムパターンである。また、参照データ分に相当する長さのプリピット列が、コンテンツ領域３と等しい線記録密度で形成されている。テストリード領域１Ａのプリピット列は、媒体情報領域１の任意の場所に設けることができる。また、上記参照データは、超解像媒体において共通であれば、再生装置に記録されていてもよく、また、媒体情報領域１内のテストリード領域１Ａ以外の領域に記録されていてもよい。【００５５】
ブランク領域２は、再生装置がトラッキングサーボ制御を行いながら媒体情報領域１からコンテンツ領域３へと光学系を移動させるときのガイドとしての役割を有し、１４９ｎｍの長さのプリピットが等間隔で配列されたプリピット列が、媒体情報領域１のプリピット列とコンテンツ領域３のプリピット列とをつなぐように、スパイラル状に連続して形成されている。ブランク領域２におけるプリピット列は、少なくとも２周以上形成され、本実施形態では約２周設けている。また、ブランク領域２におけるプリピット列は、媒体情報およびコンテンツ情報など再生すべき情報は特に記録されていない。【００５６】
また、ブランク領域２におけるプリピットの深さは、再生装置の光学系がトラッキングエラー信号を検出できるピット深さであればよく、本実施形態のように、再生装置の光学系のレーザ波長が４０５ｎｍであり、集光レンズの開口数ＮＡが０．８５である場合、ＢＤ規格に準じ、６５ｎｍ程度で形成されていればよい。ブランク領域２の詳細については、後述する。【００５７】
コンテンツ領域３では、主に、１１６ｎｍ、１７４ｎｍ、２３２ｎｍ、２９０ｎｍ、３４８ｎｍ、４０６ｎｍ、および４６４ｎｍの長さのプリピットとスペースとからなるプリピット列がスパイラル状に形成されてコンテンツ情報が記録されており、このプリピット列は再生装置の光学系の解像限界である１１９ｎｍより短い、１１６ｎｍの長さのプリピット及びスペースを含んでいる。コンテンツ領域３のトラックピッチは、媒体情報領域１のトラックピッチよりも小さい２６０ｎｍである。最短プリピット長およびトラックピッチから換算すると、コンテンツ領域３の記録容量は、ＢＤタイプの通常媒体に対し、約１．６倍の記録容量を有する。【００５８】
図３は、超解像媒体１０の断面構造を示している。【００５９】
超解像媒体１０は、上記各領域におけるプリピットが形成されている基板４上に、反射層５と、超解像効果を発生させる超解像機能層６とが順にスパッタリングにより積層され、さらに、超解像機能層６上に、透光性のあるカバー層７が設けられた構造となっている。【００６０】
基板４は、約１．１ｍｍの厚みを有し、ポリカーボネートにより形成されている。反射層５は、７ｎｍの膜厚のシリコン層であり、超解像機能層６は、１５５ｎｍの膜厚の酸化亜鉛層である。カバー層７は、約０．１ｍｍの厚みを有し、ポリカーボネートにより形成されている。なお、上記各領域におけるプリピットは、基板４に対して、凹状及び／または凸状の形状を有している。【００６１】
コンテンツ領域３に、コンテンツ領域３の再生に適したパワーでレーザ光を照射すると、反射層５によって熱が発生し、超解像機能層６上のレーザスポット内に、光強度分布により生じる温度分布によって、透過率の分布が生じる。その結果、上記レーザスポットが擬似的に縮小した状態となり、これにより、コンテンツ領域３における再生装置が有する光学系の解像限界より短い長さのプリピットを含むプリピット列が再生可能となり、通常媒体より多くの情報を利用することができる。なお、超解像機能層６は、コンテンツ領域３におけるプリピット列を再生可能な構造であればよく、例えば、特許文献１に記載のマスク層、または特許文献２に記載の機能層でも良い。また、コンテンツ領域３の再生に適したレーザ光のパワーは、約１．０ｍＷであり、媒体情報領域１の再生に適したレーザ光のパワーは、通常媒体との再生に適したレーザ光のパワーと同様に、約０．３ｍＷである。【００６２】
また、媒体情報領域１における媒体識別情報が、再生装置が有する光学系の解像限界より長い長さのプリピットからなるプリピット列によって、すなわち、通常媒体の記録形態と同様に記録されているため、上記媒体識別情報を通常媒体用のレーザ光のパワーで再生できる。したがって、再生装置は、媒体が挿入されると、通常媒体用のパワーで媒体にレーザ光を照射し、媒体識別情報を読み取って、挿入された媒体が通常媒体と超解像媒体とのいずれであるかを判別する。そして、この判別の結果に応じて、挿入された媒体に合わせて処理を変更する（レーザ光のパワーを切り替えるなど）ことができるため、通常媒体と超解像媒体１０とのいずれの媒体も再生可能な互換性を有した再生装置を実現することができる。【００６３】
次に、ブランク領域２について、図２を参照してより詳細に説明する。なお、説明の便宜上、ブランク領域２に隣接する媒体情報領域１のプリピット列をプリピット列ａとし、ブランク領域２に隣接するコンテンツ領域３のプリピット列をプリピット列ｂとする。そして、ブランク領域２における２周のプリピット列のうち、媒体情報領域１におけるプリピット列ａに隣接するプリピット列をプリピット列Ａとし、コンテンツ領域３におけるプリピット列ｂに隣接するプリピット列をプリピット列Ｂとする。【００６４】
ブランク領域２におけるプリピット列Ａは、隣接するプリピット列ａから３２０ｎｍのトラックピッチ（媒体情報領域１のトラックピッチ）を保って形成されている。プリピット列Ｂは、隣接するプリピット列Ａ（ブランク領域における第１領域側のプリピット列）からのトラックピッチが、約１周する間に、３２０ｎｍから２６０ｎｍ（コンテンツ領域３のトラックピッチ）に小さくなるように形成されているとともに、隣接するプリピット列ｂに対しては２６０ｎｍのトラックピッチを保って形成されている。【００６５】
プリピット列Ａを隣接するプリピット列ａから媒体情報領域１のトラックピッチを保って形成することにより、媒体情報領域１におけるプリピット列は、ブランク領域２に移る直前まで、内周側及び外周側のプリピット列へのトラックピッチが全て同一となる。よって、媒体情報領域１の再生時において、隣接するプリピット列によるノイズの影響を受け難く、トラッキングサーボ制御が適切に行われるため、再生エラーを増加させることがない。【００６６】
そして、プリピット列Ｂを、隣接するプリピット列Ａからのトラックピッチが媒体情報領域１のトラックピッチからコンテンツ領域３のトラックピッチへ小さくなるように形成することにより、トラッキングサーボ制御がコンテンツ領域３のトラックピッチに対して安定する。【００６７】
このとき、ブランク領域２では、隣接するプリピット列へのトラックピッチが、内周側と外周側とで異なるから、また、プリピット列Ａとプリピット列Ｂとのトラックピッチが、約１周する間に変化するため、トラッキングサーボ制御が不安定になりやすい。【００６８】
したがって、もし、ブランク領域２に媒体情報およびコンテンツ情報など再生すべき情報が記録されていれば、トラッキングサーボ制御の不安定性に起因して、媒体の周方向への傾き（タンジェンシャルチルト）、半径方向への傾き（ラジアルチルト）、および照射するレーザ光のパワーの僅かな変動等の外乱に対するマージンが小さくなり、再生エラーが生じやすくなる。【００６９】
しかしながら、上述したように、ブランク領域２においては、媒体情報およびコンテンツ情報など再生すべき情報は記録されていないため、再生エラーが生じない。【００７０】
また、プリピット列Ｂは、隣接するプリピット列ｂに対してはコンテンツ領域３のトラックピッチを保って形成されているため、コンテンツ領域３の再生時において、隣接するプリピット列によるノイズの影響を受け難く、トラッキングサーボ制御が適切に行われるため、再生エラーを増加させることがない。【００７１】
以上のように、ブランク領域２を設けることにより、それぞれ記録形態およびトラックピッチが異なっている、媒体情報領域１とコンテンツ領域３とにおいて、再生エラーを増加させることなく、適切に再生が行われる。それゆえ、超解像媒体１０は、通常媒体よりも記録容量が大容量であって、かつ、一つの再生装置において通常媒体とともに再生できる超解像媒体を提供することができる。【００７２】
また、ブランク領域２を設けることにより、急激なトラックピッチの変動がないため、原盤製造時に、露光装置に具備されたスライダの、半径方向への送り速度の制御が容易になるという、さらなる効果を奏する。この点を、以下で具体的に説明する。【００７３】
原盤製造時に用いられる露光装置は、レーザ光源と、フォトレジストを塗布した基板を固定し、回転させるステージと、レーザ光を基板上のフォトレジスト層に集光照射させるためのレンズ等を備えたスライダとを具備している（レーザ光源がスライダと一体となって移動する場合もある。）基板を固定したステージを回転させ、スライダをステージの回転中心に対して半径方向に送りながら露光することで、現像後、スパイラル状のプリピット列及び／または案内溝のパターンが得られる。トラックピッチが異なる媒体情報領域１とコンテンツ領域３とが隣接して設けられる場合、トラックピッチの変化に対応するために、スライダの半径方向への送り速度を急激に変化させなければならなくなることから、スライダの半径方向への送り速度の制御が難しくなり、所望の半径位置に対するズレ等が生じやすくなる。しかし、上記実施の形態１のように、ブランク領域２を設けることで、スライダの半径方向への送り速度の変化量を小さくすることができる。このため、スライダの制御が容易となり、所望の半径位置に対するズレ等が生じ難くなる。【００７４】
以上示した超解像媒体１０は、好適な一例であり、例えば以下のような変更例も可能である。【００７５】
まず、反射層５は、十分な反射量が得られる材料であればよく、例えば、アルミニウム、銀、金、Ｇｅ、あるいはこれらを含む混合物等を用いることができる。また、超解像機能層６は、例えば、ＣｅＯ２、ＴｉＯ２、ＧｅＳｂＴｅ、あるいはＡｇＩｎＳｂＴｅ等を用いることができる。また、カバー層７の製造方法としては、ＵＶ硬化樹脂を用いてフィルムを接着する方法、あるいはスピンコート法を利用することができる。【００７６】
また、ブランク領域２は、再生装置の光学系がトラッキングを行いながら移動できればよく、コンテンツ領域３におけるプリピット列のプリピットの最小の長さ以上のプリピットが形成されていればよい。また、ブランク領域２には、媒体情報およびコンテンツ情報など再生すべき情報が記録されていないため、ブランク領域２のプリピット列は、例えば、２種類以上の長さのプリピットが光記録媒体の信号の変調方式に準じていない並びによりランダムに形成されたプリピット列であってもよい。【００７７】
また、本実施形態では、媒体情報領域１が、超解像媒体１０の最内周部に設けられているが、媒体情報領域１とコンテンツ領域３とがブランク領域２を介して設けられていれば、超解像媒体１０の外周側、または内周側及び外周側に割り当てられていてもよい。【００７８】
また、本実施形態では、媒体情報領域１に、テストリード領域１Ａが設けられているが、テストリード領域１Ａに代えて、再生装置がコンテンツ領域３に照射するレーザ光のパワーを示すパワー情報が記録されていて、再生装置が上記パワー情報を再生することで、コンテンツ領域３ａの再生に適したレーザ光のパワーを認識してもよい。また、複数の超解像媒体において、コンテンツ領域の再生に適したレーザ光のパワーが共通であれば、テストリード領域１Ａは設けず、上記共通のレーザ光のパワーを再生装置に記憶させておいてもよい。【００７９】
また、媒体情報領域１は、超解像媒体のテスト再生等のためにトラックピッチが異なるいくつかの領域から構成させていてもよい。【００８０】
また、本発明による超解像光記録媒体は、上記に限られるものではなく、記録可能な超解像光記録媒体であってもよい。例えば、ウォブル（蛇行した案内溝）によるトラックが形成された第１領域（媒体情報領域）と、該媒体情報領域よりも小さいトラックピッチでウォブルによるトラックが形成されており、記録マーク及びスペースによってコンテンツ情報が記録される第２領域とを備えた超解像光記録媒体であっても、記録を行わないブランク領域を設けることで、上記同様の効果を奏する。この場合、ブランク領域において、前記第１領域のトラックと前記第２領域のトラックとをつなぐようにウォブルによるトラックが形成されていればよい。第１領域にはウォブルの周期等で媒体識別情報を記録しておくことが可能であるため、例えば、ブランク領域が存在しており、該ブランク領域が記録できない領域であることを示す情報を、第１領域に記録しておくことができる。【００８１】
このようにすることで、再生装置の光学系は、上記第１領域から上記第２領域へと連続してトラッキングサーボ制御を行いながら、スムーズに移動できる。また、上記ブランク領域でトラッキングサーボ制御が不安定になったとしても、上記ブランク領域には再生すべき情報が記録されていないため、再生エラーとならない。よって、上記第２領域のトラックピッチが上記第１領域のトラックピッチより小さい超解像光記録媒体であって、上記第１領域から上記第２領域へと再生が移行する時に、再生エラーが生じ難い記録可能な超解像光記録媒体を実現することができる。このように、再生専用のＢＤ−ＲＯＭ(Blu-ray Disc Read Only Memory)だけでなく、記録可能なＢＤ−Ｒ(Blu-ray Disc Recordable)やＢＤ−ＲＥ(Blu-ray Disc Rewritable)にも適用可能である。【００８２】
また、第１領域、第２領域及びブランク領域におけるトラックは、ウォブルに限られるものではない。第１領域やブランク領域のトラックは、上記実施の形態１の再生専用媒体と同様に、プリピット及び／または案内溝を含む構成であってもよく、第２領域は案内溝を含む構成であってもよい。【００８３】
〔実施の形態２〕
本発明に係る超解像媒体の他の実施形態について図４および図５を用いて説明すると以下の通りである。なお、説明の便宜上、実施の形態１で用いた部材と同一の機能を有する部材には同一の部材番号を付し、その説明を省略する。また、基本的に、実施の形態１における超解像媒体１０と異なる点についてのみ説明する。【００８４】
図４は、本実施形態に係る超解像媒体１０ａの外観を示している。【００８５】
超解像媒体１０ａは、媒体情報が記録されている媒体情報領域（第１領域）１ａと、映像やソフトウェア等のコンテンツ情報が記録されているコンテンツ領域（第２領域）３ａと、媒体情報領域１ａとコンテンツ領域３ａとの間に設けられたブランク領域２ａとを有している。【００８６】
図５は、ブランク領域２ａ近辺を拡大して示している。【００８７】
媒体情報領域１ａは、超解像媒体１０における媒体情報領域１に、ブランク領域２ａの開始位置を示す第１アドレス情報がさらに記録されている構成である。コンテンツ領域３ａは、超解像媒体１０におけるコンテンツ領域３に、ブランク領域２ａの終了位置を示す第２アドレス情報がさらに記録されている構成である。【００８８】
このように、ブランク領域２ａの位置を示すアドレス情報を記録しておくことにより、再生装置がブランク領域２ａの所在を認識し、ブランク領域２ａおよびコンテンツ領域３ａに対して適切な処理（再生装置のレーザ光のパワーを切り替えるなど、詳細は実施の形態５，６）を行うことができるとともに、ブランク領域２ａにおいて、連続して隣接したトラックにジャンプして移動することができ、コンテンツ領域３ａの再生にスムーズに、比較的短い時間で、移行することができる。【００８９】
また、媒体情報領域１ａには、テストリード領域１Ａに代えて、テストリード領域１Ｂが形成されている。テストリード領域１Ｂのプリピット列は、コンテンツ領域３ａの最短プリピットを含み、コンテンツ領域３のプリピットの長さと等しい長さのプリピットのみからなるプリピット列であって、コンテンツ領域３ａのプリピット幅及び変調方式に準じたランダムパターンである。また、参照データ分に相当する長さのプリピット列が、コンテンツ領域３と等しい線記録密度で形成されている。テストリード領域１Ｂのプリピット列は、媒体情報領域１の任意の場所に設けることができ、本実施形態では、媒体情報領域１ａのブランク領域２ａに隣接するトラック内に設けられている。また、上記参照データは、超解像媒体において共通であれば、再生装置に記録されていてもよく、また、媒体情報領域１ａ内のテストリード領域１Ｂ以外の領域に記録されていてもよい。【００９０】
ブランク領域２ａは、超解像媒体１０におけるブランク領域２のプリピット列を案内溝で代用した構成である。ブランク領域２ａの案内溝は、少なくとも２周以上形成されるものであって、本実施形態では約４周設けている。ブランク領域２ａの案内溝の深さは、再生装置の光学系がトラッキングエラー信号を検出できる深さであればよく、本実施形態のように、再生装置の光学系のレーザ波長が４０５ｎｍであり、集光レンズの開口数ＮＡが０．８５である場合、３０ｎｍ程度で形成されていればよい。【００９１】
以下、ブランク領域２ａについてより詳細に説明するが、説明の便宜上、ブランク領域２ａにおける４周の案内溝のうち、媒体情報領域１ａにおけるプリピット列ａに隣接する案内溝を案内溝Ｃとし、案内溝Ｃに隣接する案内溝を案内溝Ｄとする。また、案内溝Ｄに隣接する、コンテンツ領域３ａ側の案内溝を案内溝Ｅとし、案内溝Ｅに隣接するとともに、コンテンツ領域３ａのプリピット列ｂに隣接する案内溝を案内溝Ｆとする。【００９２】
ブランク領域２ａにおける案内溝Ｃは、隣接するプリピット列ａから３２０ｎｍのトラックピッチ（媒体情報領域１ａのトラックピッチ）を保って形成されている。案内溝Ｄ〜案内溝Ｆは、それぞれ、約１周する間に、隣接する媒体情報領域１ａ側の案内溝からのトラックピッチが約１８ｎｍずつ小さくなるように形成されており、それゆえ、案内溝Ｆは隣接する案内溝Ｅからのトラックピッチが約２６０ｎｍ（コンテンツ領域３ａのトラックピッチ）となる。また、案内溝Ｆは、隣接するプリピット列ｂに対して２６０ｎｍのトラックピッチを保って形成されている。【００９３】
このようにブランク領域２ａを設けることにより、実施の形態１と同様に、それぞれ記録形態およびトラックピッチが異なっている、媒体情報領域１ａとコンテンツ領域３ａとにおいて、再生エラーを増加させることなく、適切に再生が行われる。それゆえ、超解像媒体１０ａは、通常媒体よりも記録容量が大容量であって、かつ、一つの再生装置において通常媒体とともに再生できる超解像媒体を提供することができる。【００９４】
また、ブランク領域２ａは、４周にわたり案内溝を設けているため、実施の形態１におけるブランク領域２と比較して、その領域が広く、半径方向における単位長さあたりのトラックピッチの変化量を小さくすることができる。このため、原盤製造における露光時に、のスライダの半径方向への送り速度の制御がより容易となり、所望の半径位置に対するズレ等が、より生じ難くなるという効果を奏する。【００９５】
また、再生装置の光学系が、ブランク領域２ａを通過するときのトラッキングサーボ制御の安定性が増し、外乱等に対するマージンが大きくなるため、よりスムーズに媒体情報領域１ａからコンテンツ領域３ａへ移動することが可能となる。【００９６】
また、超解像媒体の記録容量をできる限り大きく確保したい場合は、実施の形態１のようにブランク領域を約２周とするなどして、ブランク領域をできる限り小さくすればよい。また、例えば、ある周方向位置においての、隣接する内周側のプリピット列または案内溝からのトラックピッチを、外周側にいくに従い、３２０ｎｍから、約３１０ｎｍ、約２８０ｎｍ、約２７０ｎｍ、約２６５ｎｍ、２６０ｎｍとしてもよい。このようにすることで、光記録媒体の原盤製造が容易になる。つまり、このように、ある地点を過ぎたところから、スライダの半径方向への送り速度の変化量を小さくすることで、隣接する内周側のプリピット列または案内溝からのトラックピッチが２６０ｎｍになった時点において、原盤の半径方向への送り速度が安定しやすくなる。【００９７】
以上示した超解像媒体１０ａは、好適な一例であり、実施の形態１で示した変更例とともに、例えば以下のような変更例も可能である。【００９８】
本実施形態では、ブランク領域２ａのアドレス情報が、媒体情報領域１ａとコンテンツ領域３ａとに記録されているが、この構成に限られるわけではなく、例えば、情報の形態を変更して媒体情報領域１ａに記録されていてもよい。【００９９】
また、媒体情報領域１ａに、ブランク領域２ａのアドレス情報に代えて、コンテンツ領域３ａの位置を示すアドレス情報が記録されていてもよい。コンテンツ領域３ａのアドレス情報を記録しておくことにより、再生装置がブランク領域２ａおよびコンテンツ領域３ａの所在を認識し、ブランク領域２ａおよびコンテンツ領域３ａに対して適切な処理（再生装置のレーザ光のパワーを切り替えるなど、詳細は実施の形態５，６）を行うことができるとともに、ブランク領域２ａにおいて、連続して隣接したトラックにジャンプし、コンテンツ領域３ａの開始位置や所望の位置に素早くアクセスでき、コンテンツ領域３ａの再生にスムーズに、比較的短い時間で、移行することができる。【０１００】
また、本実施形態では、媒体情報領域１ａに、テストリード領域１Ｂが設けられているが、テストリード領域１Ｂに代えて、再生装置がコンテンツ領域３ａに照射するレーザ光のパワーを示すパワー情報が記録されていて、再生装置が上記パワー情報を再生することでコンテンツ領域３ａの再生に適したレーザ光のパワーを認識してもよい。また、テストリード領域１Ｂは、後述する実施の形態４のテストリード領域１１Ａで代用してもよい。また、複数の超解像媒体において、コンテンツ領域の再生に適したレーザ光のパワーが共通であれば、テストリード領域１Ｂは設けず、上記共通のレーザ光のパワーを再生装置に記憶させておいてもよい。【０１０１】
また、ブランク領域２ａには、実施の形態１における少なくとも２周以上のプリピット列が形成されてもよいし、あるいは後述する実施の形態３における少なくとも２周以上のプリピット列および案内溝が形成されてもよい。【０１０２】
〔実施の形態３〕
本発明に係る超解像媒体の他の実施形態について図６を用いて説明すると以下の通りである。なお、説明の便宜上、実施の形態２で用いた部材と同一の機能を有する部材には同一の部材番号を付し、その説明を省略する。また、基本的に、実施の形態２に係る超解像媒体１０ａと異なる点についてのみ説明する。【０１０３】
図６は、本実施形態に係る超解像媒体１０ｂのブランク領域２ｂ近辺を拡大して示している。【０１０４】
媒体情報領域１ｂは、超解像媒体１０ａにおける媒体情報領域１ａに、再生装置がブランク領域２ｂに照射するレーザ光のパワーを示すブランクパワー情報がさらに記録されている構成である。よって、再生装置は、上記ブランクパワー情報を再生することにより、ブランク領域２ｂに適したレーザ光のパワーを認識する。なお、ブランク領域２ｂに適したレーザ光のパワーは、コンテンツ領域３ｂの再生に適したレーザ光のパワーよりも小さい場合がある。このような場合に、上記ブランクパワー情報によりブランク領域２ｂに適したレーザ光のパワーを正確に認識できるため、再生装置の消費電力を低減することが可能となる。【０１０５】
コンテンツ領域３ｂは、超解像媒体１０ａにおけるコンテンツ領域３ａと同様な構成である。【０１０６】
ブランク領域２ｂは、超解像媒体１０ａにおけるブランク領域２ａの案内溝をプリピット列および案内溝で代用した構成である。ブランク領域２ｂのプリピット列および案内溝は、少なくとも２周以上形成されるものであって、本実施形態では約４周設けている。ブランク領域２ｂのトラックピッチは、ブランク領域２ａのトラックピッチと同様なトラックピッチで形成されている。また、ブランク領域２ｂのプリピット列は、ブランク領域２のプリピット列と同様な構成で、１４９ｎｍの長さのプリピットが等間隔で配列されたプリピット列であり、ブランク領域２ｂの案内溝は、ブランク領域２ａの案内溝と同様な構成である。【０１０７】
このようにブランク領域２ｂを設けることにより、実施の形態１，２と同様に、それぞれ記録形態およびトラックピッチが異なっている、媒体情報領域１ｂとコンテンツ領域３ｂとにおいて、再生エラーを増加させることなく、適切に再生が行われる。それゆえ、超解像媒体１０ｂは、通常媒体よりも記録容量が大容量であって、かつ、一つの再生装置において通常媒体とともに再生できる超解像媒体を提供することができる。【０１０８】
〔実施の形態４〕
本発明に係る超解像媒体の他の実施形態について図７および図８を用いて説明すると以下の通りである。本実施形態に係る超解像媒体２０は、再生専用媒体で、断面構造がＨＤ_ＤＶＤ（High Definition Digital Versatile Disc）タイプの超解像媒体である。本実施形態では、再生装置の光学系が、レーザ波長が４０５ｎｍ、集光レンズの開口数ＮＡが０．６５であり、その解像限界は１５６ｎｍである。【０１０９】
超解像媒体２０は、媒体情報が記録されている媒体情報領域（第１領域）１１と、映像やソフトウェア等のコンテンツ情報が記録されているコンテンツ領域（第２領域）１３と、媒体情報領域１１とコンテンツ領域１３との間に設けられたブランク領域１２とを有している。【０１１０】
図７は、ブランク領域１２近辺を拡大して示している。【０１１１】
媒体情報領域１１では、ＨＤ_ＤＶＤ規格に準じ、最短プリピット長が２０４ｎｍのプリピットとスペースとからなるプリピット列がスパイラル状に形成されて媒体情報が記録されており、このプリピット列のすべてのプリピットおよびスペースは、再生装置の光学系の解像限界である１５６ｎｍより長い。媒体情報領域１１のトラックピッチは、４００ｎｍである。【０１１２】
媒体情報領域１１における媒体情報には、コンテンツ領域１３の記録形態が超解像記録形態であること示し、超解像媒体２０の媒体の種類を識別するための媒体識別情報、再生装置が再生クロックを切り替えるための再生クロック切替情報、記録情報のアドレス、およびブランク領域１２の開始位置を示す第１アドレス情報等が含まれている。【０１１３】
また、媒体情報領域１１には、同図に示すように、再生装置がコンテンツ領域１３に照射するレーザ光のパワーを調整（設定）するためのプリピットが形成されたテストリード領域１１Ａが割り当てられている。テストリード領域１１Ａにて調整されたレーザ光のパワーは、ブランク領域１２に照射するレーザ光のパワーでもある。【０１１４】
テストリード領域１１Ａのプリピット列は、コンテンツ領域１３の最短プリピットを含み、コンテンツ領域１３のプリピットの長さと等しい長さのプリピットのみからなるプリピット列であって、コンテンツ領域１３のプリピット幅及び変調方式に準じたランダムパターンである。また、参照データ分に相当する長さのプリピット列が、コンテンツ領域１３と等しい線記録密度で繰り返し形成されており、媒体を再生装置に挿入するたびに、ランダムに、上記参照データ分に相当する長さのプリピット列を選んでテストリードを行うことができる。テストリード領域１１Ａのプリピット列については、媒体情報領域１１の任意の場所に設けることができる。また、上記参照データは、超解像媒体において共通であれば、再生装置に記録されていてもよく、また、媒体情報領域１１内のテストリード領域１１Ａ以外の領域に記録されていてもよい。【０１１５】
テストリードは、レーザ光のパワーを変化させて行うため、コンテンツ領域１３に適したレーザ光のパワーよりも大きなパワーで照射してしまうことがある。このとき、参照データ分に相当する１つのプリピット列のみしか形成されていない場合、繰り返し同じプリピット列にレーザ光を照射することになり、媒体が傷みやすくなる可能性がある。そこで、上述のように参照データ分に相当する長さのプリピット列を繰り返し形成することにより、上述のような媒体の傷みを防止できる。【０１１６】
ブランク領域１２は、再生装置がトラッキングサーボ制御を行いながら媒体情報領域１１からコンテンツ領域１３へと光学系を移動させるときのガイドとしての役割を有し、媒体情報領域１１のプリピット列とコンテンツ領域１３のプリピット列とをつなぐように、プリピット列がスパイラル状に連続して形成されている。ブランク領域１２におけるプリピット列は、長さ２０４ｎｍのプリピット、長さ２０４ｎｍのスペース、長さ４０８ｎｍのプリピット、長さ４０８ｎｍのスペースが、この順に繰り返し配列されたプリピット列である。また、ブランク領域１２におけるプリピット列は、少なくとも２周以上形成され、本実施形態では約４周設けている。また、ブランク領域１２におけるプリピット列は、媒体情報およびコンテンツ情報など再生すべき情報は特に記録されていない。【０１１７】
また、ブランク領域１２におけるプリピットの深さは、再生装置の光学系がトラッキングエラー信号を検出できるピット深さであればよく、本実施形態のように、再生装置の光学系のレーザ波長が４０５ｎｍであり、集光レンズの開口数ＮＡが０．６５である場合、７８ｎｍ程度で形成されていればよい。ブランク領域１２の詳細については、後述する。【０１１８】
コンテンツ領域１３では、最短プリピット長が１５０ｎｍで、再生装置の光学系の解像限界である１５６ｎｍより短い長さのプリピットとスペースとを含むプリピット列がスパイラル状に形成されてコンテンツ情報が記録されている。また、コンテンツ領域１３には、ブランク領域１２の終了位置を示す第２アドレス情報が記録されている。コンテンツ領域１３のトラックピッチは、媒体情報領域１１のトラックピッチよりも小さい３２０ｎｍである。【０１１９】
上述のように、ブランク領域１２の位置を示すアドレス情報を記録しておくことにより、再生装置がブランク領域１２の所在を認識し、ブランク領域１２およびコンテンツ領域１３に対して適切な処理（再生装置のレーザ光のパワーを切り替えるなど）を行うことができるとともに、ブランク領域１２において、連続して隣接したトラックにジャンプして移動することができ、コンテンツ領域１３の再生にスムーズに、比較的短い時間で、移行することができる。【０１２０】
図８は、超解像媒体２０の断面構造を示している。【０１２１】
超解像媒体２０は、上記各領域におけるプリピットが形成されている基板１５上に、反射層１６と、超解像効果を発生させる超解像機能層１７とが順にスパッタリングにより積層され、さらに、超解像機能層１７上に、透光性のある基板１８が設けられた構造となっている。【０１２２】
基板１５は、約０．６ｍｍの厚みを有し、ポリカーボネートにより形成されている。反射層１６は、７ｎｍの膜厚のシリコン層であり、超解像機能層１７は、１５５ｎｍの膜厚の酸化亜鉛層である。基板１８は、約０．６ｍｍの厚みを有し、ポリカーボネートにより形成されている。なお、上記各領域におけるプリピットは、基板１５に対して、凹状及び／または凸状の形状を有している。【０１２３】
コンテンツ領域１３に、コンテンツ領域１３の再生に適したパワーでレーザ光を照射すると、反射層１６によって熱が発生し、超解像機能層１７上のレーザスポット内に、光強度分布により生じる温度分布によって、透過率の分布が生じる。その結果、上記レーザスポットが擬似的に縮小した状態となり、これにより、コンテンツ領域１３における再生装置が有する光学系の解像限界より短い長さのプリピットを含むプリピット列が再生可能となり、通常媒体より多くの情報を利用することができる。なお、超解像機能層１７は、コンテンツ領域１３におけるプリピット列を再生可能な構造であればよく、例えば、特許文献１に記載のマスク層、または特許文献２に記載の機能層でも良い。【０１２４】
また、媒体情報領域１１における媒体識別情報が、再生装置が有する光学系の解像限界より長い長さのプリピットからなるプリピット列によって、すなわち、通常媒体の記録形態と同様に記録されているため、上記媒体識別情報を通常媒体用のレーザ光のパワーで再生できる。したがって、再生装置は、媒体が挿入されると、通常媒体用のパワーで媒体にレーザ光を照射し、媒体識別情報を読み取って、挿入された媒体が通常媒体と超解像媒体とのいずれであるかを判別する。そして、この判別の結果に応じて、挿入された媒体に合わせて処理を変更する（レーザ光のパワーを切り替えるなど）ことができるため、通常媒体と超解像媒体２０とのいずれの媒体も再生可能な互換性を有した再生装置を実現することができる。なお、媒体情報領域１１の再生に適したレーザ光のパワーは、通常媒体の再生に適したレーザ光のパワーと同様に、約０．３ｍＷである。【０１２５】
次に、ブランク領域１２について、図７を参照してより詳細に説明する。なお、説明の便宜上、ブランク領域１２に隣接する媒体情報領域１１のプリピット列をプリピット列ｃとし、ブランク領域１２に隣接するコンテンツ領域１３のプリピット列をプリピット列ｄとする。そして、ブランク領域１２における４周のプリピット列のうち、媒体情報領域１１におけるプリピット列ｃに隣接するプリピット列をプリピット列Ｋとし、プリピット列Ｋに隣接する、コンテンツ領域１３側のプリピット列をプリピット列Ｌとする。また、プリピット列Ｌに隣接する、コンテンツ領域１３側のプリピット列をプリピット列Ｍとし、プリピット列Ｍに隣接するとともに、コンテンツ領域１３のプリピット列ｄに隣接するプリピット列をプリピット列Ｎとする。【０１２６】
ブランク領域１２におけるプリピット列Ｋは、隣接するプリピット列ｃから４００ｎｍのトラックピッチ（媒体情報領域１１のトラックピッチ）を保って形成されている。プリピット列Ｌ〜プリピット列Ｎは、それぞれ、約１周する間に、隣接する媒体情報領域１１側のプリピット列からのトラックピッチが約２０ｎｍずつ小さくなるように形成されており、それゆえ、プリピット列Ｎは隣接するプリピット列Ｍからのトラックピッチが約３２０ｎｍとなる。また、プリピット列Ｎは、隣接するプリピット列ｄに対して３２０ｎｍのトラックピッチを保って形成されている。【０１２７】
このようにブランク領域１２を設けることにより、実施の形態１〜３と同様に、それぞれ記録形態およびトラックピッチが異なっている、媒体情報領域１１とコンテンツ領域１３ｂとにおいて、再生エラーを増加させることなく、適切に再生が行われる。それゆえ、超解像媒体２０は、通常媒体よりも記録容量が大容量であって、かつ、一つの再生装置において通常媒体とともに再生できる超解像媒体を提供することができる。【０１２８】
また、ブランク領域１２は、４周にわたり案内溝を設けており、その領域が広い。したがって、急激なトラックピッチの変動がないため、原盤製造時のスライダの制御が容易となる。また、再生装置の光学系が、ブランク領域１２を通過するときのトラッキングサーボ制御の安定性が増し、外乱等に対するマージンが大きくなるため、よりスムーズにコンテンツ領域１１からコンテンツ領域１３へ移動をすることが可能となる。【０１２９】
また、超解像媒体の記録容量をできる限り大きく確保したい場合は、実施の形態１のようにブランク領域を約２周とするなどして、ブランク領域１２をできる限り小さくすればよい。また、例えば、ある周方向位置においての、隣接する内周側のプリピット列または案内溝からのトラックピッチを、外周側にいくに従い、４００ｎｍから、約３８５ｎｍ、約３６０ｎｍ、約３３０ｎｍ、約３２５ｎｍ、３２０ｎｍとしてもよい。このようにすることで、光記録媒体の原盤製造が容易になる。つまり、このように、ある地点を過ぎたところから、原盤の半径方向への送り速度の変化量を小さくすることで、隣接する内周側のプリピット列または案内溝からのトラックピッチが３２０ｎｍになった時点において、原盤の半径方向への送り速度が安定しやすくなる。【０１３０】
以上示した超解像媒体２０は、好適な一例であり、例えば以下のような変更例も可能である。【０１３１】
まず、反射層１６は、十分な反射量が得られる材料であればよい。また、超解像機能層１７は、例えば、ＣｅＯ２、ＴｉＯ２、ＧｅＳｂＴｅ、あるいはＡｇＩｎＳｂＴｅ等を用いることができる。また、基板１８の製造方法としては、ＵＶ硬化樹脂を用いてフィルムを接着する方法、あるいはスピンコート法を利用することができる。【０１３２】
また、ブランク領域１２は、再生装置の光学系がトラッキングを行いながら移動できればよく、コンテンツ領域１３におけるプリピット列のプリピットの最小の長さ以上のプリピットが形成されていればよい。また、ブランク領域１２におけるプリピット列は、実施の形態２，３で示したような、少なくとも２周以上の案内溝あるいはプリピット列および案内溝で代用してもよい。案内溝の深さは、再生装置の光学系がトラッキングエラー信号を検出できる深さであればよく、本実施形態のような光学系の設定では４０ｎｍ程度で形成されていればよい。また、ブランク領域１２には、媒体情報およびコンテンツ情報など再生すべき情報が記録されていないため、ブランク領域１２のプリピット列またはプリピット列および案内溝は、例えば、２種類以上の長さのプリピットが光記録媒体の信号の変調方式に準じていない並びによりランダムに形成されたプリピット列またはプリピット列および案内溝であってもよい。【０１３３】
また、本実施形態では、ブランク領域１２のアドレス情報が、媒体情報領域１１とコンテンツ領域１３とに記録されているが、この構成に限られるわけではなく、例えば、情報の形態を変更して媒体情報領域１１に記録されていてもよい。【０１３４】
また、媒体情報領域１１に、ブランク領域１２のアドレス情報に代えて、コンテンツ領域１３の位置を示すアドレス情報が記録されていてもよい。コンテンツ領域１３のアドレス情報を記録しておくことにより、再生装置がブランク領域１２およびコンテンツ領域１３の所在を認識し、ブランク領域１２およびコンテンツ領域１３に対して適切な処理（再生装置のレーザ光のパワーを切り替えるなど）を行うことができるとともに、ブランク領域１２において、連続して隣接したトラックにジャンプし、コンテンツ領域１３の開始位置や所望の位置に素早くアクセスでき、コンテンツ領域１３の再生にスムーズに、比較的短い時間で、移行することができる。【０１３５】
また、本実施形態では、媒体情報領域１１に、テストリード領域１１Ａが設けられているが、テストリード領域１１Ａに代えて、再生装置がコンテンツ領域１３に照射するレーザ光のパワーを示すパワー情報が記録されていて、再生装置が上記パワー情報を再生することでコンテンツ領域１３の再生に適したレーザ光のパワーを認識してもよい。また、テストリード領域１１Ａは、実施の形態１のテストリード領域１Ａで代用してもよい。また、複数の超解像媒体において、コンテンツ領域の再生に適したレーザ光のパワーが共通であれば、テストリード領域１１Ａは設けず、上記共通のレーザ光のパワーを再生装置に記憶させておいてもよい。【０１３６】
また、媒体情報領域１１に、再生装置がブランク領域１２に照射するレーザ光のパワーを示すブランクパワー情報が記録されていてもよい。再生装置は、上記ブランクパワー情報を再生することにより、ブランク領域１２に適したレーザ光のパワーを認識する。なお、ブランク領域１２に適したレーザ光のパワーは、コンテンツ領域１３の再生に適したレーザ光のパワーよりも小さい場合がある。このような場合に、上記ブランクパワー情報によりブランク領域１２に適したレーザ光のパワーを正確に認識できるため、再生装置の消費電力を低減することが可能となる。【０１３７】
以上、実施の形態１〜４において、ＢＤ−ＲＯＭ(Blu-ray Disc Read Only Memory)、ＢＤ−Ｒ(Blu-ray Disc Recordable)、ＢＤ−ＲＥ(Blu-ray Disc Rewritable)やＨＤ_ＤＶＤの超解像媒体について説明したが、本発明に係る超解像媒体は、ＣＤ−ＲＯＭ(Compact Disc Read Only Memory)、ＣＤ−Ｒ(Compact Disc Recordable)、ＣＤ−ＲＷ(Compact Disc Rewritable)、ＤＶＤ−ＲＯＭ(Digital Versatile Disc Read Only Memory)、ＤＶＤ−Ｒ(Digital Versatile Disc Recordable)およびＤＶＤ−ＲＷ(Digital Versatile Disc Rewritable)にも適用可能である。【０１３８】
〔実施の形態５〕
本発明に係る再生装置の一実施形態について図９〜図１１を用いて説明すると以下のとおりである。本実施形態では、本実施形態に係る再生装置５０について、通常媒体と、実施の形態２で示した超解像媒体１０ａとを再生する場合を例として説明する。【０１３９】
図９は、再生装置５０の構成を示している。【０１４０】
再生装置５０は、図示のように、スピンドルモータ２２、光ピックアップ（再生部）２６、光ピックアップ用モータ２７、ヘッドアンプ２８、制御部３６、サーボ制御部３７、レーザ制御部３８、およびＲＦ信号処理部３９を備えている。再生装置５０に挿入される光記録媒体２１は、通常媒体あるいは超解像媒体１０ａである。【０１４１】
スピンドルモータ２２は、光記録媒体２１に記録されている情報を再生するために、光記録媒体２１を回転させる。【０１４２】
光ピックアップ２６は、集光レンズ（不図示）、回折格子（不図示）、１／４波長板（不図示）、偏光ビームスプリッタ２３、レーザ光源２４、および光検出器２５を備えている。【０１４３】
レーザ光源２４は、光記録媒体２１の情報を再生するためのレーザ光を出射する。このレーザ光の波長は、実施の形態２で述べたように、４０５ｎｍである。レーザ光源２４は、再生初期時は、通常媒体用のパワーでレーザ光を出射する。上記回折格子は、レーザ光源２４から出射されたレーザ光から信号再生用の主ビームとトラッキングサーボ用の副ビームとを生成する（以下、この主ビームと副ビームとを合わせて単に「レーザ光」と称する）。【０１４４】
偏光ビームスプリッタ２３は、レーザ光の偏光方向に応じて、レーザ光を透過または反射させることが可能であり、上記回折格子を通過したレーザ光を反射する。上記１／４波長板は、レーザ光を直線偏光から円偏光に、あるいは円偏光から直線偏光に変換することが可能であり、偏光ビームスプリッタ２３にて反射されたレーザ光を円偏光に変換する。上記集光レンズは、上記１／４波長板を通過したレーザ光を光情報記録媒体２１に集光させる。上記集光レンズの開口数ＮＡは、実施の形態２で述べたように、０．８５である。【０１４５】
光記録媒体２１からの反射光は、上記集光レンズを経て上記１／４波長板にて直線偏光に変換され、偏光ビームスプリッタ２３を透過して光検出器２５に照射される。光検出器２５は、光記録媒体２１からの反射光を電気信号に変換する。【０１４６】
光ピックアップ用モータ２７は、制御部３６の制御に応じて、光情報記録媒体２１の所望の位置に光ピックアップ２６がアクセスするように、光ピックアップ２６の位置を制御する。【０１４７】
ヘッドアンプ２８は、光検出器２５にて生成された電気信号を増幅する。【０１４８】
制御部３６は、再生装置５０の動作を制御する。詳細は後述する。【０１４９】
サーボ制御部３７は、ヘッドアンプ２８にて増幅された電気信号に基づいて、トラッキングサーボ制御などの一般的な各種サーボ制御を行う。例えば、トラッキングサーボ制御は、ヘッドアンプ２８にて増幅された電気信号からトラッキングエラー信号を生成し、このトラッキングエラー信号がゼロとなるまで、繰り返し光ピックアップ２６における集光レンズを制御する。【０１５０】
レーザ制御部３８は、制御部３６の制御に応じて、一般的な方法でレーザ光源２４から出射されるレーザ光のパワーを制御する。【０１５１】
ＲＦ信号処理部３９は、ＲＦアンプ３９ＡおよびＲＦ信号処理回路（コンテンツ情報再生部）３９Ｂを備えている。ＲＦアンプ３９Ａは、ヘッドアンプ２８にて増幅された電気信号をさらに増幅する。ＲＦ信号処理回路３９Ｂは、ＲＦアンプ３９Ａにて増幅された電気信号に対し、制御部３６の制御に応じて等価処理および複号処理を行って、光記録媒体２１に記録されているコンテンツ情報を再生する。等価処理とは、隣接したプリピットやスペース等による信号の歪やノイズを低減する演算処理であり、復号処理とは、等価処理後の信号の波形を“１”または“０”のデジタル信号に復号する演算処理である。また、ＲＦ信号処理回路３９Ｂは、再生初期時は、等価処理および複号処理を行わない。なお、「再生初期時」なる文言は、基本的に、「媒体情報領域再生時」を指す。【０１５２】
図１０は、制御部３６の構成を示している。【０１５３】
制御部３６は、図示のように、アクセス位置制御部３０、信号処理部（情報取得部）３１、媒体識別部３２、パワー制御部３３、再生クロック制御部３４、およびＲＦ処理制御部（ブランク制御部）３５を備えている。【０１５４】
アクセス位置制御部３０は、光記録媒体２１の所望の位置に光ピックアップ２６がアクセスするように、光ピックアップ用モータ２７を制御する。アクセス位置制御部３０は、再生開始時は、光記録媒体２１の媒体情報領域に光ピックアップ２６がアクセスするように、光ピックアップ用モータ２７を制御する。【０１５５】
信号処理部３１は、ヘッドアンプ２８から与えられた電気信号に対し、等価処理および複号処理を行って各種情報を再生し、この再生した情報を媒体識別部３２、パワー制御部３３、再生クロック制御部３４、およびＲＦ処理制御部３５に送る。【０１５６】
媒体識別部３２は、信号処理部３１内に設けられ、信号処理部３１から与えられた情報（媒体識別情報）に基づいて、光記録媒体２１が通常媒体と超解像媒体１０ａとのいずれであるかを識別する。【０１５７】
パワー制御部３３は、信号処理部３１から与えられた情報に基づいて、レーザ制御回路３８を制御して、レーザ光源２４から出射されるレーザ光のパワーを制御する。【０１５８】
再生クロック制御部３４は、信号処理部３１から与えられた情報（再生クロック切替情報）に基づいて、ＲＦ信号処理回路３９Ｂにおいてコンテンツ情報の再生時に使用される再生クロックを制御する。【０１５９】
ＲＦ処理制御部３５は、媒体識別部３２の識別結果に基づいて、あるいは信号処理部３１から与えられた情報（ブランク領域２ａのアドレス情報（ブランク領域情報））に基づいて、ＲＦ信号処理回路３９Ｂにおいて行われる等価処理および複号処理を制御する。【０１６０】
次に、再生装置５０の処理動作（再生動作）について図１１を用いて説明する。図１１は、再生装置５０の処理動作の流れを示している。【０１６１】
再生装置５０に、光記録媒体２１が挿入されると、光記録媒体２１の挿入を検知して、スピンドルモータ２２により光記録媒体２１を回転させる（図１１のフローチャートにおける「スタート」）。そして、制御部３６のアクセス位置制御部３０によって光ピックアップ用モータ２７が制御されて、再生初期のアクセス位置である光記録媒体２１の媒体情報領域に光ピックアップ２６が位置合わせされ、レーザ光源２４から出射されたレーザ光が上記媒体情報領域に照射される（図１１のフローチャートにおけるＳ１）。このときレーザ光源２４から出射されたレーザ光のパワーは、再生初期用として予め定められている通常媒体用のパワーである。【０１６２】
上記媒体情報領域からの反射光が、偏光ビームスプリッタ２３を介して光検出器２５へ到達し、電気信号に変換される。光検出器２５にて生成された電気信号は、ヘッドアンプ２８を介して、制御部３６の信号処理部３１、サーボ制御部３７、およびＲＦ処理部３９に送られる。サーボ制御部３７は、上記電気信号に基づいて、各種サーボ制御を行う。ＲＦ信号処理回路３９Ｂは、再生初期時であるため、何の処理も行わない。【０１６３】
信号処理部３１は、上記電気信号を処理して媒体識別情報を再生し（Ｓ２）、この媒体識別情報を媒体識別部３２に送る。媒体識別部３２は、上記媒体識別情報に基づいて、光記録媒体２１の識別を行う（Ｓ３）。【０１６４】
媒体識別部３２による識別の結果、光記録媒体２１が通常媒体であった場合（Ｓ３においてＮＯ）、ＲＦ処理制御部３５は、この媒体識別部３２の識別結果に基づいて、等価処理および複号処理を行うようにＲＦ信号処理回路３９Ｂを制御する（Ｓ８）。そして、通常媒体のコンテンツ領域に光ピックアップ２６が位置合わせされて、レーザ光源２４から出射されたレーザ光が、通常媒体用のパワーのままで、上記コンテンツ領域に照射される（Ｓ９）。そして、上記コンテンツ領域からの反射光が、光検出器２５、ヘッドアンプ２８を介して、ＲＦ信号処理部３９へ送られ、コンテンツ情報が再生される（Ｓ１０）。【０１６５】
一方、媒体識別部３２による識別の結果、光記録媒体２１が超解像媒体１０ａであった場合（Ｓ３においてＹＥＳ）、媒体情報領域１ａのテストリード領域１Ｂに光ピックアップ２６が位置合わせされて、レーザ光源２４から出射されたレーザ光が、テストリード領域１Ｂに照射される。そして、そのテストリード領域１Ｂからの反射光が、光検出器２５、ヘッドアンプ２８、信号処理部３１を介して、パワー制御部３３へ送られる。パワー制御部３３は、レーザ制御回路３８を制御して、レーザ光源２４のレーザ光のパワーを徐々に変化させて、ブランク領域２ａ用およびコンテンツ領域３ａ用のレーザ光のパワーを決定する（Ｓ４）。【０１６６】
より具体的には、パワー制御部３３は、レーザ光源２４のレーザ光のパワーを徐々に変化させて、テストリード領域１Ａにおける参照データ分に相当する長さのプリピット列を再生し、最も再生エラーが少ない時のパワーを上記レーザ光のパワーとして決定する。また、これに限らず、媒体のチルトマージンが最も大きい時のパワー、あるいは、所定のエラーレート以下となるパワー範囲の中央値を上記レーザ光のパワーとしてもよい。パワー制御部３３は、決定したブランク領域２ａ用およびコンテンツ領域３ａ用のレーザ光のパワーを図示しないメモリに記憶する。【０１６７】
続いて、媒体情報領域１ａに記録されている再生クロック切替情報が、信号処理部３１によって再生されて、再生クロック制御部３４へ送られ、ＲＦ信号処理回路３９Ｂにおいてコンテンツ情報の再生時に用いられる再生クロックが超解像媒体用に変更される（Ｓ５）。【０１６８】
続いて、媒体情報領域１ａに記録されている、ブランク領域２ａのアドレス情報が、信号処理部３１によって再生されて、パワー制御部３３およびＲＦ処理制御部３５へ送られる。パワー制御部３３は、受け取ったブランク領域２ａのアドレス情報に基づいて、レーザ光源２４のレーザ光のパワーを、Ｓ４において決定したコンテンツ領域３ａ用のパワーに変更する。また、ＲＦ処理制御部３５は、受け取ったブランク領域２ａのアドレス情報に基づいて、ＲＦ信号処理回路３９Ｂにおける状態を維持する、すなわち等価処理および複号処理を停止させておく（Ｓ６）。【０１６９】
光ピックアップ２６が、媒体情報領域１ａからブランク領域２ａにアクセスすると、ブランク領域２ａからの反射光が、光検出器２５、ヘッドアンプ２８を介して、サーボ制御部３７へ送られ、各種サーボ制御が続行される（Ｓ７）。ブランク領域２ａには、情報が記録されていないため、ブランク領域２ａの再生は、制御部３６の制御には影響しない。【０１７０】
続いて、光ピックアップ２６が、ブランク領域２ａからコンテンツ領域３ａにアクセスするとき、パワー制御部３３は、ブランク領域２ａのアドレス情報に基づいて、レーザ光源２４のレーザ光のパワーを維持する。また、ＲＦ処理制御部３５は、ブランク領域２ａのアドレス情報に基づいて、等価処理および複号処理を行うようＲＦ信号処理回路３９Ｂを制御する（Ｓ８）。【０１７１】
光ピックアップ２６が、ブランク領域２ａからコンテンツ領域３ａにアクセスすると、
コンテンツ領域３ａからの反射光が、光検出器２５、ヘッドアンプ２８を介して、ＲＦ信号処理部３９へ送られ、コンテンツ情報が再生される（Ｓ１０）。【０１７２】
以上のように、再生装置５０は、通常媒体用のレーザ光のパワーで媒体識別情報を再生し、この再生した媒体識別情報により、挿入された光記録媒体が通常媒体であるか超解像媒体１０ａであるかを識別する。そして、この識別結果に応じて、光記録媒体に合わせて処理を変更する（レーザ光のパワーを切り替えるなど）。また、再生装置５０は、ブランク領域２ａにおいては、サーボ制御は行ったままで、等価処理および復号処理を行わずコンテンツ情報の再生を停止させ、ブランク領域２ａに対応する。したがって、再生装置５０ａは、通常媒体と超解像媒体１０ａとのいずれの媒体も再生可能な再生装置を提供することができる。【０１７３】
また、再生装置５０は、上述のように、ブランク領域２ａを経由している間、等価処理および復号処理を行わないため、再生装置５０の消費電力を小さくすることが可能となる。また、光学系のタンゲンシャル方向の移動速度である線速度が、等価処理および／または復号処理によって律速される再生装置の場合、ブランク領域２ａを経由している間の時間を短縮することが可能となり、媒体情報領域１ａの再生後、よりスムーズに、短い時間で、コンテンツ領域３ａの再生に移行することが可能となる。【０１７４】
なお、本実施形態では、テストリード領域１Ａによってコンテンツ領域３ａの再生に適したレーザ光のパワーを決定したが、複数の超解像媒体においてコンテンツ領域の再生に適したレーザ光のパワーが共通であれば、この共通のレーザ光のパワーを再生装置５０が記憶しておいて、その記憶した情報を読み出すことによって最適なレーザ光のパワーを決定してもよい。また、テストリード領域によって決定したレーザ光のパワーをメモリに記憶しておき、次回からは、その記憶した情報を読み出すことによって最適なレーザ光のパワーを決定してもよい。【０１７５】
〔実施の形態６〕
本発明に係る再生装置の他の実施形態について図１２を用いて説明すると以下の通りである。本実施形態では、本実施形態に係る再生装置５０ａについて、通常媒体と、実施の形態３で示した超解像媒体１０ｂとを再生する場合を例として説明する。なお、説明の便宜上、実施の形態５で用いた部材と同一の機能を有する部材には同一の部材番号を付し、その説明を省略する。また、基本的に、実施の形態５に係る再生装置５０と異なる点についてのみ説明する。【０１７６】
再生装置５０ａの構成は、再生装置５０の構成と同様な構成であるため、ここではその説明を省略する。【０１７７】
次に、再生装置５０ａの処理動作（再生動作）について図１２を用いて説明する。図１２は、再生装置５０ａの処理動作の流れを示している。図１１に示した再生装置５０の処理動作とは、「Ｓ４」と「Ｓ５」との間に「Ｓ４Ａ」が追加されている点、「Ｓ６」が「Ｓ６Ａ」となっている点、および「Ｓ７」と「Ｓ８」との間に「Ｓ７Ａ」が追加されている点が異なる。【０１７８】
再生装置５０ａに、光記録媒体２１が挿入されると、光記録媒体２１の挿入を検知して、スピンドルモータ２２により光記録媒体２１が回転する（図１２のフローチャートにおける「スタート」）。そして、制御部３６のアクセス位置制御部３０によって光ピックアップ用モータ２７が制御されて、再生初期のアクセス位置である光記録媒体２１の媒体情報領域に光ピックアップ２６が位置合わせされ、レーザ光源２４から出射されたレーザ光が上記媒体情報領域に照射される（図１２のフローチャートにおけるＳ１）。このときレーザ光源２４から出射されたレーザ光のパワーは、再生初期用として予め定められている通常媒体用のパワーである。【０１７９】
上記媒体情報領域からの反射光が、各種レンズおよび偏光ビームスプリッタ２３を介して光検出器２５へ到達し、電気信号に変換される。光検出器２５にて生成された電気信号は、ヘッドアンプ２８を介して、制御部３６の信号処理部３１、サーボ制御部３７、およびＲＦ処理部３９に送られる。サーボ制御部３７は、上記電気信号に基づいて、各種サーボ制御を行う。ＲＦ信号処理回路３９Ｂは、再生初期時であるため、何の処理も行わない。信号処理部３１は、上記電気信号を処理して媒体識別情報を再生し（Ｓ２）、この媒体識別情報を媒体識別部３２に送る。媒体識別部３２は、上記媒体識別情報に基づいて、光記録媒体２１の識別を行う（Ｓ３）。【０１８０】
媒体識別部３２による識別の結果、光記録媒体２１が通常媒体であった場合（Ｓ３においてＮＯ）、ＲＦ処理制御部３５は、この媒体識別部３２の識別結果に基づいて、等価処理および複号処理を行うようにＲＦ信号処理回路３９Ｂを制御する（Ｓ８）。そして、通常媒体のコンテンツ領域に光ピックアップ２６が位置合わせされて、レーザ光源２４から出射されたレーザ光が、通常媒体用のパワーのままで、上記コンテンツ領域に照射される（Ｓ９）。そして、上記コンテンツ領域からの反射光が、光検出器２５、ヘッドアンプ２８を介して、ＲＦ信号処理部３９へ送られ、コンテンツ情報が再生される（Ｓ１０）。【０１８１】
一方、媒体識別部３２による識別の結果、光記録媒体２１が超解像媒体１０ｂであった場合（Ｓ３においてＹＥＳ）、媒体情報領域１ｂのテストリード領域１Ｂに光ピックアップ２６が位置合わせされて、レーザ光源２４から出射されたレーザ光が、テストリード領域１Ｂに照射される。そして、そのテストリード領域１Ｂからの反射光が、光検出器２５、ヘッドアンプ２８、信号処理部３１を介して、パワー制御部３３へ送られる。パワー制御部３３は、レーザ制御回路３８を制御して、レーザ光源２４のレーザ光のパワーを徐々に変化させて、コンテンツ領域３ｂ用のレーザ光のパワーを決定する（Ｓ４）。【０１８２】
より具体的には、パワー制御部３３は、レーザ光源２４のレーザ光のパワーを徐々に変化させて、テストリード領域１Ｂにおける参照データ分に相当する長さのプリピット列を再生し、最も再生エラーが少ない時のパワーを上記レーザ光のパワーとして決定する。また、これに限らず、媒体のチルトマージンが最も大きい時のパワー、あるいは、所定のエラーレート以下となるパワー範囲の中央値を上記レーザ光のパワーとしてもよい。パワー制御部３３は、決定したコンテンツ領域３ｂ用のレーザ光のパワーを図示しないメモリに記憶する。【０１８３】
続いて、媒体情報領域１ｂに記録されているブランクパワー情報が、信号処理部３１によって再生されて、ブランク領域２ｂ用のレーザ光のパワーを決定する。パワー制御部３３は、決定したブランク領域２ｂ用のレーザ光のパワーを図示しないメモリに記憶する（Ｓ４Ａ）。続いて、媒体情報領域１ｂに記録されている再生クロック切替情報が、信号処理部３１によって再生されて、再生クロック制御部３４へ送られ、ＲＦ信号処理回路３９Ｂにおいてコンテンツ情報の再生時に用いられる再生クロックが超解像媒体用に変更される（Ｓ５）。【０１８４】
続いて、媒体情報領域１ｂに記録されている、ブランク領域２ｂのアドレス情報が、信号処理部３１によって再生されて、パワー制御部３３およびＲＦ処理制御部３５へ送られる。パワー制御部３３は、受け取ったブランク領域２ｂのアドレス情報に基づいて、レーザ光源２４のレーザ光のパワーを、Ｓ４Ａにおいて決定したブランク領域２ｂ用のパワーに変更する。また、ＲＦ処理制御部３５は、受け取ったブランク領域２ｂのアドレス情報に基づいて、ＲＦ信号処理回路３９Ｂにおける状態を維持する、すなわち等価処理および複号処理を停止させておく（Ｓ６Ａ）。【０１８５】
光ピックアップ２６が、媒体情報領域１ｂからブランク領域２ｂにアクセスすると、ブランク領域２ｂからの反射光が、光検出器２５、ヘッドアンプ２８を介して、サーボ制御部３７へ送られ、各種サーボ制御が続行される（Ｓ７）。ブランク領域２ｂには、情報が記録されていないため、ブランク領域２ｂの再生は、制御部３６の制御には影響しない。【０１８６】
続いて、光ピックアップ２６が、ブランク領域２ｂからコンテンツ領域３ｂにアクセスするとき、パワー制御部３３は、ブランク領域２ｂのアドレス情報に基づいて、レーザ光源２４のレーザ光のパワーを、Ｓ４において決定したコンテンツ領域３ｂ用のパワーに変更する（Ｓ７Ａ）。また、ＲＦ処理制御部３５は、ブランク領域２ｂのアドレス情報に基づいて、等価処理および複号処理を行うようＲＦ信号処理回路３９Ｂを制御する（Ｓ８）。【０１８７】
光ピックアップ２６が、ブランク領域２ｂからコンテンツ領域３ｂにアクセスすると、
コンテンツ領域３ｂからの反射光が、光検出器２５、ヘッドアンプ２８を介して、ＲＦ信号処理部３９へ送られ、コンテンツ情報が再生される（Ｓ１０）。【０１８８】
以上のように、再生装置５０ａは、通常媒体用のレーザ光のパワーで媒体識別情報を再生し、この再生した媒体識別情報により、挿入された光記録媒体が通常媒体であるか超解像媒体１０ｂであるかを識別する。そして、この識別結果に応じて、光記録媒体に合わせて処理を変更する（レーザ光のパワーを切り替えるなど）。また、再生装置５０ａは、ブランク領域２ｂにおいては、サーボ制御は行ったままで、等価処理および復号処理を行わずコンテンツ情報の再生を停止させ、ブランク領域２ｂに対応する。したがって、再生装置５０ａは、通常媒体と超解像媒体１０ｂとのいずれの媒体も再生可能な再生装置を提供することができる。【０１８９】
また、再生装置５０ａは、上述のように、ブランク領域２ｂを経由している間、等価処理および復号処理を行わないため、再生装置５０ａの消費電力を小さくすることが可能となる。また、光学系のタンゲンシャル方向の移動速度である線速度が、等価処理および／または復号処理によって律速される再生装置の場合、ブランク領域２ｂを経由している間の時間を短縮することが可能となり、媒体情報領域１ｂの再生後、よりスムーズに、短い時間で、コンテンツ領域３ｂの再生に移行することが可能となる。【０１９０】
なお、本実施形態では、テストリード領域１Ｂによってコンテンツ領域３ｂの再生に適したレーザ光のパワーを決定したが、複数の超解像媒体においてコンテンツ領域の再生に適したレーザ光のパワーが共通であれば、この共通のレーザ光のパワーを再生装置５０ａが記憶しておいて、その記憶した情報を読み出すことによって最適なレーザ光のパワーを決定してもよい。また、テストリード領域によって決定したレーザ光のパワーをメモリに記憶しておき、次回からは、その記憶した情報を読み出すことによって最適なレーザ光のパワーを決定してもよい。【０１９１】
以上、実施の形態５，６において、超解像媒体１０ａ，１０ｂの再生について説明したが、実施の形態１で示した超解像媒体１０は、例えば、以下に示すように再生する。【０１９２】
媒体情報領域１の再生が終了した後、レーザ光のパワーを変更することなくブランク領域２に移動する（ブランク領域２のアドレス情報が記録されていないため）。この場合、レーザ光のパワーを変更していないため、スポット径が擬似的に縮小されていない状態であり、それゆえ、徐々にトラックピッチが狭くなるに従いトラッキングサーボ制御が適切に行われなくなる。このトラッキングサーボ制御が適切に行われなくなったことをサーボ制御部３７が検知して、信号処理部３１に知らせ（ブランク領域情報）、レーザ光のパワーをコンテンツ領域３に適したパワーに変更させて再生を続行する（ブランク領域２からコンテンツ領域３を再生する）。なお、サーボ制御部３７は、隣接トラックからのノイズ等により、トラッキングエラー信号がゼロとなるように安定的に制御を行うことができなくなったこと（例えば、トラッキングエラー信号が一定時間以上ゼロでない状態が続いたこと等）を検知することで、トラッキングサーボ制御が適切に行われなくなったことを検知することができる。【０１９３】
また、実施の形態４において示した、ＨＤ_ＤＶＤ規格に準拠した超解像媒体２０は、集光レンズを開口数ＮＡが０．６５の集光レンズに変更することにより、実施の形態５，６において示した、超解像媒体１０ａ，１０ｂの再生方法と同様な方法によって再生できる。【０１９４】
また、以上の実施の形態５，６における再生装置５０，５０ａの構成は、一例であり、適宜変更して用いることも可能である。例えば、再生装置５０，５０ａでは、信号処理部３１において媒体情報領域の情報を再生しているが、ＲＦ信号処理回路３９Ｂにおいて媒体情報領域の情報を再生して信号処理部３１に供給するという構成でもよい。また、信号処理部３１においてトラッキングエラー信号を生成してサーボ制御部３７の機能を制御部３６によって行ってもよい。【０１９５】
最後に、再生装置５０，５０ａにおける制御部３６の各部は、ハードウェアロジックによって構成されてもよいし、次のようにＣＰＵを用いてソフトウェアによって実現してもよい。【０１９６】
すなわち、再生装置５０，５０ａは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである再生装置５０，５０ａにおける制御部３６の制御プログラムのプログラムコード（実行形式プログラム、中間コードプログラム、ソースプログラム）をコンピュータで読み取り可能に記録した記録媒体を、再生装置５０，５０ａに供給し、そのコンピュータ（またはＣＰＵやＭＰＵ）が記録媒体に記録されているプログラムコードを読み出し実行することによっても、達成可能である。【０１９７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１９８】
また、再生装置５０，５０ａを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１９９】
また、再生装置は、その使用形態において据え置き用、携帯用の如何を問うものではない。【０２００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０１】
本発明に係る光記録媒体は、ＢＤ−ＲＯＭ(Blu-ray Disc Read Only Memory)、ＢＤ−Ｒ(Blu-ray Disc Recordable)、ＢＤ−ＲＥ(Blu-ray Disc Rewritable)、ＨＤ_ＤＶＤ、ＣＤ−ＲＯＭ(Compact Disc Read Only Memory)、ＣＤ−Ｒ(Compact Disc Recordable)、ＣＤ−ＲＷ(Compact Disc Rewritable)、ＤＶＤ−ＲＯＭ(Digital Versatile Disc Read Only Memory)、ＤＶＤ−Ｒ(Digital Versatile Disc Recordable)およびＤＶＤ−ＲＷ(Digital Versatile Disc Rewritable)等に適用可能である。
【図１】
2009028593.tif 000003
【図２】
2009028593.tif 000004
【図３】
2009028593.tif 000005
【図４】
2009028593.tif 000006
【図５】
2009028593.tif 000007
【図６】
2009028593.tif 000008
【図７】
2009028593.tif 000009
【図８】
2009028593.tif 000010
【図９】
2009028593.tif 000011
【図１０】
2009028593.tif 000012
【図１１】
2009028593.tif 000013
【図１２】
2009028593.tif 000014
【図１３】
2009028593.tif 000015
【図１４】
2009028593.tif 000016
【国際調査報告】
2009028593.tif 000017
2009028593.tif 000018